(57)【要約】【課題】既に存在している非接触ＩＣカードを用いて認証を行うシステムが存在する状況において、新たにタグを導入してタグを用いて認証を行おうとする場合に、新たに導入するタグの識別情報を、権限情報と対応付けて登録する必要があり、この登録作業が煩わしい。【解決手段】新たに導入するタグの識別情報を、既に権限情報と対応付けて登録されている非接触ＩＣカードの識別情報と対応付けることによって、新たに導入するタグの識別情報を、権限情報と対応付けて登録する必要をなくすことができる。【選択図】図１
2011070388.tif 000002
【特許請求の範囲】
【請求項１】
第１種媒体から第１種媒体識別情報を読み取る第１アクセス手段と、
認証処理を行うために第１種媒体識別情報毎に権限情報を対応付けて記憶する記憶手段と、
前記第１アクセス手段が第１種媒体識別情報を読み取った場合に、前記読み取られた第１種媒体識別情報と対応付けられて前記記憶手段に記憶されている権限情報に基づいて認証処理を行う第１認証手段とを含む認証システムであって、
第２種媒体から第２種媒体識別情報を読み取る第２アクセス手段と、
前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報と前記読み取られた第２種媒体識別情報との関連付けを行う関連付け手段と、
前記第２アクセス手段が第２種媒体識別情報を読み取った場合において、当該読み取られた第２種媒体識別情報が第１種媒体識別情報に既に関連付けされているときには、当該読み取られた第２種媒体識別情報に関連付けされている第１種媒体識別情報と対応付けられて前記記憶手段に記憶されている権限情報に基づいて、認証処理を行う第２認証手段とを含むことを特徴とする
認証システム。
【請求項２】
第１種媒体は、ＨＦ帯のカード質問信号を受信すると、記憶している第１種媒体識別情報を含むＨＦ帯のカード応答信号を送信する非接触ＩＣカードであり、
第２種媒体は、記憶している第２媒体識別情報を含むタグ応答信号を送信するタグであり、
前記第１アクセス手段は、前記カード質問信号を送信して前記カード応答信号を受信することで非接触ＩＣカードから第１種媒体識別情報を読み取り、
前記第２アクセス手段は、前記タグ応答信号を受信することでタグから第２種媒体識別情報を読み取ることを特徴とする
請求項１記載の認証システム。
【請求項３】
タグは、第１種媒体識別情報を含むタグ関連付け信号を受信した場合に、当該第１種媒体識別情報を記憶する第１種媒体識別情報記憶手段を有し、
前記関連付け手段の行う関連付けは、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報を前記タグ関連付け信号に含めて前記第２アクセス手段に送信させることにより、前記読み取られた第２種媒体識別情報を記憶するタグの前記第１種媒体識別情報記憶手段に前記読み取られた第１種媒体識別情報を記憶させることであり、
タグは、前記第１種媒体識別情報記憶手段が第１種媒体識別情報を記憶している場合には、送信する前記タグ応答信号に、前記記憶している第１種媒体識別情報を含め、
前記第２認証手段は、前記第２アクセス手段が第２種媒体識別情報を読み取った場合において、前記読み取った第２種媒体識別情報を含む前記タグ応答信号に第１種媒体識別情報を含むときに、前記タグ応答信号に含まれる第１種媒体識別情報と対応付けられて前記記憶手段に記憶されている権限情報に基づいて、認証処理を行うことを特徴とする
請求項２記載の認証システム。
【請求項４】
前記関連付け手段の行う関連付けは、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第２種媒体識別情報を、前記読み取られた第１種媒体識別情報に対応付けて前記記憶手段に記憶させることであることを特徴とする
請求項２記載の認証システム。
【請求項５】
前記関連付け手段は、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときであって、さらに、前記読み取られた第１種媒体識別情報と対応付けられて前記記憶手段に記憶されている権限情報が所定の情報を含んでいるときに限って、前記読み取られた第１種媒体識別情報と前記読み取られた第２種媒体識別情報との関連付けを行うことを特徴とする
請求項２記載の認証システム。
【請求項６】
前記第２認証手段は、認証処理を行う場合において、前記読み取られた第２種媒体識別情報に第１種媒体識別情報が関連付けされているとき、予め定められた期間中であれば、又は、前記関連付けが行われた時刻から予め定められた時間が既に経過していれば、認証失敗となるように当該認証処理を行うことを特徴とする
請求項２記載の認証システム。
【請求項７】
人の通行を制限する状態と人の通行を制限しない状態との間で切り替わるゲートと、
前記ゲートを制御するゲート制御手段とを有し、
前記第１認証手段は、前記第１認証手段が認証処理に成功した場合に人の通行の制限を解除する旨を前記ゲート制御手段に通知し、
前記第２認証手段は、前記第２認証手段が認証処理に成功した場合に人の通行の制限を解除する旨を前記ゲート制御手段に通知し、
前記ゲート制御手段は、通知に応じてゲートを制御することを特徴とする
請求項２記載の認証システム。
【請求項８】
前記第１認証手段は、認証処理を行う場合において、前記読み取られた第１種媒体識別情報が第２種媒体識別情報と関連付けされているとき、認証失敗となるように当該認証処理を行うことを特徴とする
請求項２記載の認証システム。
【請求項９】
非接触ＩＣカードは、自器の記憶している第１種媒体識別情報が第２種媒体識別情報に関連付けされていることを示す関連付け情報を記憶するための関連付け情報記憶手段と、当該関連付け情報記憶手段に前記関連付け情報を記憶させる関連付け情報書込手段とを有し、
前記関連付け手段が前記関連付けを行う場合において、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報を記憶している非接触ＩＣカードの前記関連付け情報書込手段は、前記関連付け情報記憶手段に前記関連付け情報を記憶させ、
非接触ＩＣカードは、前記関連付け情報記憶手段が前記関連付け情報を記憶していない場合に限り、カード質問信号を受信すると、記憶している第１種媒体識別情報を含むカード応答信号を送信し、前記関連付け情報記憶手段が前記関連付け情報を記憶している場合には、カード質問信号を受信すると、記憶している第１種媒体識別情報を含まないカード応答信号を送信することを特徴とする
請求項２記載の認証システム。
【請求項１０】
音を発生するための音発生手段を有し、
前記関連付け手段は、さらに、前記関連付けを行う場合に、前記音発生手段に音を発生させることを特徴とする
請求項２記載の認証システム。
【請求項１１】
発光するための発光手段を有し、
前記関連付け手段は、さらに、前記関連付けを行う場合に、前記発光手段に発光させることを特徴とする
請求項２記載の認証システム。
【請求項１２】
タグは、発光するためのタグ発光手段を有し、
前記関連付け手段は、さらに、前記関連付けを行う場合に、前記読み取られた第２種媒体識別情報を記憶しているタグの前記タグ発光手段に発光させることを特徴とする
請求項２記載の認証システム。
【請求項１３】
第１種媒体から第１種媒体識別情報を読み取る第１アクセス手段と、
認証処理を行うために第１種媒体識別情報毎に権限情報を対応付けて記憶する記憶手段と、
前記第１アクセス手段が第１種媒体識別情報を読み取った場合に、前記読み取られた第１種媒体識別情報と対応付けられて前記記憶手段に記憶されている権限情報に基づいて認証処理を行う第１認証手段とを含む認証システムであって、
第２種媒体から第２種媒体識別情報を読み取る第２アクセス手段と、
前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報と対応付けられて前記記憶手段に記憶されている権限情報と、前記読み取られた第２種媒体識別情報との関連付けを行う関連付け手段と、
前記第２アクセス手段が第２種媒体識別情報を読み取った場合において、当該読み取られた第２種媒体識別情報が権限情報に既に関連付けされているときには、当該読み取られた第２種媒体識別情報に関連付けされている権限情報に基づいて、認証処理を行う第２認証手段とを含むことを特徴とする
認証システム。
【請求項１４】
第１種媒体から第１種媒体識別情報を読み取る第１アクセス手段と、
第２種媒体から第２種媒体識別情報を読み取る第２アクセス手段とを有し、
前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報と、前記読み取られた第２種媒体識別情報とを関連付けさせるための情報を出力することを特徴とする読取装置。
【発明の詳細な説明】
【技術分野】
【０００１】
本発明は、非接触ＩＣカードやアクティブタグ等に代表される認証媒体から識別情報を読み取ることで認証を行う認証システムに関する。
【背景技術】
【０００２】
認証システムとして普及しているものの１つに、例えば、非接触ＩＣカードを用いた認証システムがある。
この非接触ＩＣカードを用いた認証システムは、例えば、ユーザがセキュリティエリアの扉脇に設置された読取装置に非接触ＩＣカードをかざすと読取装置が非接触ＩＣカードの識別情報を読み取り、読み取ったその識別情報が予めその扉を解錠することができることを示す権限情報と対応付けられて記憶されている場合に、扉に設けられている電気錠を解錠するといった形態で運用される。
【０００３】
非接触ＩＣカードは、読取装置から無線によって供給される電力を用いて識別情報を送信するので、数ｃｍ程度の近距離通信しかできない。
一方、電池を内蔵して、読取装置からの識別情報を要求する要求信号を受けたときに、識別情報を含む応答信号を、内蔵電池の電力を用いて送信することで、より遠くまで飛ばせるアクティブタグ（以下、「タグ」という。）を用いた認証システムもある。
【０００４】
このタグを用いた認証システムは、例えば、タグが自器の識別情報を含めた信号を定期的に送信し、タグを所有するユーザがセキュリティエリアの扉脇に設置された読取装置に近づくと読取装置がタグの発信する信号を受信し、受信した信号に含まれる識別情報が読取装置に予め権限情報と対応付けられて記憶されている場合であって、その権限情報が扉を解錠することができることを示す情報であるときに、扉に設けられている電気錠を解錠するといった形態で運用される。
【０００５】
タグは、内蔵する電池の電力を用いて識別情報を含む信号を送信するため、読取装置との距離が例えば約１．５ｍ以内となる範囲内で、読取装置との間の通信を行うことができる。
従って、タグを用いた認証システムにおいては、タグを読取装置にかざさなくても、認証を行うことができる。
【０００６】
また、例えば、特許文献１に開示されている技術のように、非接触ＩＣカードとパッシブタグの一種であるＲＦＩＤ（Radio Frequency IDentification）タグとの２種類の媒体を用いた認証システムも開発されている。
【先行技術文献】
【特許文献】
【０００７】
【特許文献１】特開２００６−１９５８１４号公報
【発明の概要】
【発明が解決しようとする課題】
【０００８】
ところで、非接触ＩＣカードを用いた認証システムにおいて、タグを用いた認証処理が有効となるシーン、例えば、ユーザが、セキュリティエリア内に両手で抱える荷物を何度も運搬するといったようなシーンが存在する。
このようなシーンでは、読取装置に非接触ＩＣカードの識別情報を読み込ませるたびに、荷物を床に降ろして非接触ＩＣカードを読取装置にかざす必要があるが、タグを用いた認証処理ができれば、タグの識別情報を読み込ませるために、荷物を床に降ろす必要はなくなる。
【０００９】
シーンに応じて、手間をかけずに、タグを用いた認証処理を開始することができれば、ユーザにとっては使い勝手がよい認証システムとなる。
しかしながら、タグを用いた認証処理を行うためには、予め、そのタグの識別情報を、扉を開ける権限情報と関連づけて認証システムに記憶させておく必要がある。
一般的な認証システムでは、特別な権限を持つ特権ユーザのみが、識別情報と権限情報とを関連付けて認証システムに記憶させることができるといった運用がなされており、タグを用いた認証処理を行う毎に、都度、タグの識別情報と権限情報とを関連付けて認証システムに記憶させなければならないため、タグを用いた認証処理を開始しようとするたびに、特権ユーザに関連付けを依頼する等の手間と時間が必要であった。
【００１０】
そこで、本発明は係る問題に鑑みてなされたものであり、既に非接触ＩＣカードの識別情報が権限情報と対応付けられて登録されている認証システムにおいて、記憶されている非接触ＩＣカードの所有者がタグを所有している場合には、短時間のうちに、そのタグを用いた認証処理を開始することができる認証システムを提供することにある。
【課題を解決するための手段】
【００１１】
上記問題を解決するために本発明に係る認証システムは、第１種媒体から第１種媒体識別情報を読み取る第１アクセス手段と、認証処理を行うために第１種媒体識別情報毎に権限情報を対応付けて記憶する記憶手段と、前記第１アクセス手段が第１種媒体識別情報を読み取った場合に、前記読み取られた第１種媒体識別情報と対応付けられて前記記憶手段に記憶されている権限情報に基づいて認証処理を行う第１認証手段とを含む認証システムであって、第２種媒体から第２種媒体識別情報を読み取る第２アクセス手段と、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報と前記読み取られた第２種媒体識別情報との関連付けを行う関連付け手段と、前記第２アクセス手段が第２種媒体識別情報を読み取った場合において、当該読み取られた第２種媒体識別情報が第１種媒体識別情報に既に関連付けされているときには、当該読み取られた第２種媒体識別情報に関連付けされている第１種媒体識別情報と対応付けられて前記記憶手段に記憶されている権限情報に基づいて、認証処理を行う第２認証手段とを含むことを特徴とする認証システムとすることを特徴とする。
【００１２】
ここで、第１種媒体と第２種媒体とを関連付けるための一定条件を満たされるとは、ユーザから出される第１種媒体と第２種媒体との関連付けを開始する旨の動作を検知することをいう。
【発明の効果】
【００１３】
上述の構成を備える本発明に係る認証システムは、ユーザが第１種媒体と第２種媒体とを同時に所有している場合、そのユーザから出される第１種媒体と第２種媒体との関連付けを開始する旨の動作を検知することで、第２種媒体を用いて、第１種媒体識別情報と関連付けられて記憶されている権限情報に基づいて、認証処理を行うことができるようになる。
【００１４】
従って、権限情報と対応付けて記憶されている第１種媒体識別情報を記憶する第１種媒体と、第２種媒体とを所有するユーザは、短時間のうちに、その第２種媒体を用いた認証処理を開始することができるようになる認証システムを提供することができるという効果を有する。
また、第１種媒体は、ＨＦ帯のカード質問信号を受信すると、記憶している第１種媒体識別情報を含むＨＦ帯のカード応答信号を送信する非接触ＩＣカードであり、第２種媒体は、記憶している第２媒体識別情報を含むタグ応答信号を送信するタグであり、前記第１アクセス手段は、前記カード質問信号を送信して前記カード応答信号を受信することで非接触ＩＣカードから第１種媒体識別情報を読み取り、前記第２アクセス手段は、前記タグ応答信号を受信することでタグから第２種媒体識別情報を読み取るとしても構わない。
【００１５】
これにより、第１種媒体として、容易に入手することができる非接触ＩＣカードを用い、第２種媒体として、容易に入手することができるタグを用いることができるようになるため、容易に認証システムを構築することができるようになるという効果を有する。
また、タグは、第１種媒体識別情報を含むタグ関連付け信号を受信した場合に、当該第１種媒体識別情報を記憶する第１種媒体識別情報記憶手段を有し、前記関連付け手段の行う関連付けは、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報を前記タグ関連付け信号に含めて前記第２アクセス手段に送信させることにより、前記読み取られた第２種媒体識別情報を記憶するタグの前記第１種媒体識別情報記憶手段に前記読み取られた第１種媒体識別情報を記憶させることであり、タグは、前記第１種媒体識別情報記憶手段が第１種媒体識別情報を記憶している場合には、送信する前記タグ応答信号に、前記記憶している第１種媒体識別情報を含め、前記第２認証手段は、前記第２アクセス手段が第２種媒体識別情報を読み取った場合において、前記読み取った第２種媒体識別情報を含む前記タグ応答信号に第１種媒体識別情報を含むときに、前記タグ応答信号に含まれる第１種媒体識別情報と対応付けられて前記記憶手段に記憶されている権限情報に基づいて、認証処理を行うとしても構わない。
【００１６】
これにより、タグが第１種媒体識別情報を記憶するようになるため、記憶手段が、第１種媒体識別情報と第２種媒体識別情報とを関連付けて記憶していなくても、タグを用いた認証を行うことができるようになるという効果を有する。
また、前記関連付け手段の行う関連付けは、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第２種媒体識別情報を、前記読み取られた第１種媒体識別情報に対応付けて前記記憶手段に記憶させることであるとしても構わない。
【００１７】
これにより、記憶手段が第１種媒体識別情報と第２種媒体識別情報とを関連付けて記憶することになるため、第２種媒体識別情報を記憶していないタグであっても、タグを用いた認証を行うことができるようになるという効果を有する。
また、前記関連付け手段は、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときであって、さらに、前記読み取られた第１種媒体識別情報と対応付けられて前記記憶手段に記憶されている権限情報が所定の情報を含んでいるときに限って、前記読み取られた第１種媒体識別情報と前記読み取られた第２種媒体識別情報との関連付けを行うとしても構わない。
【００１８】
これにより、非接触ＩＣカードと関連付けられている権限情報に、タグを用いて行う認証を制限する情報を含ませることで、非接触ＩＣカードの第１種媒体識別情報とタグの第２種媒体識別情報との関連付けに制限を加えることができるようになるという効果を有する。
また、前記第２認証手段は、認証処理を行う場合において、前記読み取られた第２種媒体識別情報に第１種媒体識別情報が関連付けされているとき、予め定められた期間中であれば、又は、前記関連付けが行われた時刻から予め定められた時間が既に経過していれば、認証失敗となるように当該認証処理を行うとしても構わない。
【００１９】
これにより、タグを用いて行う認証を、一時的な利用に限定するとか、時間帯での制限をかけて運用するといったことができるようになるという効果を有する。
また、人の通行を制限する状態と人の通行を制限しない状態との間で切り替わるゲートと、前記ゲートを制御するゲート制御手段とを有し、前記第１認証手段は、前記第１認証手段が認証処理に成功した場合に人の通行の制限を解除する旨を前記ゲート制御手段に通知し、前記第２認証手段は、前記第２認証手段が認証処理に成功した場合に人の通行の制限を解除する旨を前記ゲート制御手段に通知し、前記ゲート制御手段は、通知に応じてゲートを制御するとしても構わない。
【００２０】
これにより、非接触ＩＣカードに関連付けられているタグを用いて認証を行い、認証に成功した場合にゲートの通行を許可するといった運用をすることができるようになるという効果を有する。
また、前記第１認証手段は、認証処理を行う場合において、前記読み取られた第１種媒体識別情報が第２種媒体識別情報と関連付けされているとき、認証失敗となるように当該認証処理を行うとしても構わない。
【００２１】
これにより、タグに関連付けられている非接触ＩＣカードを用いて認証を行っても、認証に失敗するといった運用ができるようになるため、非接触ＩＣカードとタグとを所有するユーザが、関連付けられたタグを他人に渡し、自らは非接触ＩＣカードを用いた認証を行うといった不正を、未然に防止することができるという効果を有する。
また、非接触ＩＣカードは、自器の記憶している第１種媒体識別情報が第２種媒体識別情報に関連付けされていることを示す関連付け情報を記憶するための関連付け情報記憶手段と、当該関連付け情報記憶手段に前記関連付け情報を記憶させる関連付け情報書込手段とを有し、前記関連付け手段が前記関連付けを行う場合において、前記第１アクセス手段によって第１種媒体識別情報が読み取られ、かつ、前記第２アクセス手段によって第２種媒体識別情報が読み取られ、かつ、第１種媒体と第２種媒体とを関連付けるための一定条件が満たされたときに、前記読み取られた第１種媒体識別情報を記憶している非接触ＩＣカードの前記関連付け情報書込手段は、前記関連付け情報記憶手段に前記関連付け情報を記憶させ、非接触ＩＣカードは、前記関連付け情報記憶手段が前記関連付け情報を記憶していない場合に限り、カード質問信号を受信すると、記憶している第１種媒体識別情報を含むカード応答信号を送信し、前記関連付け情報記憶手段が前記関連付け情報を記憶している場合には、カード質問信号を受信すると、記憶している第１種媒体識別情報を含まないカード応答信号を送信するとしても構わない。
【００２２】
これにより、タグに関連付けられている非接触ＩＣカードの応答信号には第１種識別応報が含まれなくなるため、この非接触ＩＣカードを用いて認証を行っても、認証に失敗するといった運用ができるようになるため、非接触ＩＣカードとタグとを所有するユーザが、関連付けられたタグを他人に渡し、自らは非接触ＩＣカードを用いた認証を行うといった不正を、未然に防止することができるという効果を有する。
【００２３】
また、音を発生するための音発生手段を有し、前記関連付け手段は、さらに、前記関連付けを行う場合に、前記音発生手段に音を発生させるとしても構わない。
これにより、関連付けを行うことを、音によってユーザに通知することができるようになる。
また、発光するための発光手段を有し、前記関連付け手段は、さらに、前記関連付けを行う場合に、前記発光手段に発光させるとしても構わない。
【００２４】
これにより、関連付けを行うことを、光によってユーザに通知することができるようになる。
また、タグは、発光するためのタグ発光手段を有し、前記関連付け手段は、さらに、前記関連付けを行う場合に、前記読み取られた第２種媒体識別情報を記憶しているタグの前記タグ発光手段に発光させるとしても構わない。
【００２５】
これにより、関連付けを行うことを、光によってユーザに通知することができるようになる。
【図面の簡単な説明】
【００２６】
【図１】認証システム１０００のシステム構成図である。
【図２】非接触ＩＣカード１２０の機能ブロック図である。
【図３】タグ１１０の機能ブロック図である。
【図４】読取装置１００の機能ブロック図である。
【図５】制御部３９０が記憶している管理情報群を示す図である。
【図６】第１種通信信号、第２種通信信号、タグ関連付け信号、第３種通信信号のデータ構成を示す図である。
【図７】第４種通信信号、タグ応答信号のデータ構成を示す図である。
【図８】関連付け動作におけるユーザの行う行動を説明するための、読取装置１００の斜視図である。
【図９】関連付け動作における、読取装置１００の行う処理を示すフローチャートその１である。
【図１０】関連付け動作における、読取装置１００の行う処理を示すフローチャートその２である。
【図１１】関連付け動作における非接触ＩＣカード１２０の行う処理を示すフローチャートである。
【図１２】関連付け動作におけるタグ１１０の行う処理を示すフローチャートである。
【図１３】カード認証動作における、読取装置１００の行う処理を示すフローチャートである。
【図１４】カード認証動作における、非接触ＩＣカード１２０の行う処理を示すフローチャートである。
【図１５】タグ認証動作における、読取装置１００の行う処理を示すフローチャートである。
【図１６】タグ認証動作における、タグ１１０の行う処理を示すフローチャートである。
【図１７】関連解除動作における、読取装置１００の行う処理を示すフローチャートその１である。
【図１８】関連解除動作における、読取装置１００の行う処理を示すフローチャートその２である。
【図１９】関連解除動作における非接触ＩＣカード１２０の行う処理を示すフローチャートである。
【図２０】関連解除動作におけるタグ１１０の行う処理を示すフローチャートである。
【図２１】タグ２１１０の機能ブロック図である。
【図２２】読取装置２１００の機能ブロックである。
【図２３】制御部２３９０が記憶している管理情報群を示す図である。
【図２４】タグ応答信号のデータ構成を示す図である。
【図２５】関連付け動作における、読取装置２１００の行う処理を示すフローチャートその１である。
【図２６】関連付け動作における、読取装置２１００の行う処理を示すフローチャートその２である。
【図２７】関連付け動作におけるタグ２１１０の行う処理を示すフローチャートである。
【図２８】タグ認証動作における読取装置２１００の行う処理を示すフローチャートである。
【図２９】タグ認証動作におけるタグ２１１０の行う処理を示すフローチャートである。
【図３０】関連解除動作における、読取装置２１００の行う処理を示すフローチャートその１である。
【図３１】関連解除動作における、読取装置２１００の行う処理を示すフローチャートその２である。
【図３２】関連解除動作における、タグ２１１０の行う処理を示すフローチャートである。
【発明を実施するための形態】
【００２７】
＜実施の形態１＞
以下、本発明に係る認証システムの一実施形態として、非接触ＩＣカードと、タグとの２種類の媒体を用いた認証によりセキュリティエリアへの入室の管理を行う、認証システム１０００について説明する。
＜概要＞
図１は、実施の形態１に係る認証システム１０００のシステム構成図である。
【００２８】
認証システム１０００は、セキュリティエリアへの入室を管理する認証システムであって、セキュリティエリアに通じる入室ゲート１４０と、入室ゲート１４０を施解錠するための電気錠装置１５０と、タグ１１０と、非接触ＩＣカード１２０と、タグ１１０と非接触ＩＣカード１２０との認証処理を行い認証に成功すると電気錠装置１５０に入室ゲート１４０を解錠させる読取装置１００と、読取装置１００と通信することができる管理サーバ１３０とから構成される。
【００２９】
認証システム１０００は、非接触ＩＣカード１２０を識別するカードＩＤと権限情報とを関連付けて記憶しているが、タグ１１０を識別するタグＩＤと権限情報とを関連付けて記憶していない場合において、ユーザから読取装置１００を用いた所定の操作がなされるとき、非接触ＩＣカード１２０を識別するカードＩＤをタグ１１０に記憶させる認証システムである。
【００３０】
認証システム１０００において、タグ１１０にカードＩＤを記憶させた後は、ユーザは、そのタグ１１０を用いて認証処理を行うことができるようになる。
読取装置１００は、非接触ＩＣカード１２０を用いた認証処理を行う機能と、タグ１１０を用いた認証処理を行う機能と、非接触ＩＣカード１２０を識別するカードＩＤをタグ１１０に記憶させる機能とを有する。
【００３１】
読取装置１００は、非接触ＩＣカード１２０を識別するカードＩＤと権限情報とを関連付けて記憶しており、ユーザによって非接触ＩＣカード１２０が読取装置１００にかざされることによってカードＩＤを読み取り、読み取ったカードＩＤが、所定の権限情報（例えば、入室ゲート１４０を解錠させる権限があることを示す情報）と対応付けられて記憶されている場合に、認証処理に成功する。
【００３２】
読取装置１００は、また、ユーザによって関連付けスイッチ１０３を押下されることで、非接触ＩＣカード１２０とタグ１１０との関連付け処理を開始し、関連付けに成功した場合に、非接触ＩＣカード１２０のカードＩＤを、タグ１１０に記憶させる。
読取装置１００は、さらに、タグ１１０に対して定期的にタグ質問信号を送信し、タグ質問信号に対する応答信号であるタグ応答信号をタグ１１０から受信し、受信する応答信号にカードＩＤが含まれていた場合において、そのカードＩＤが所定の権限情報（例えば、入室ゲート１４０を解錠させる権限があることを示す情報）と対応付けて記憶されているカードＩＤであるときに、認証処理に成功する。
【００３３】
普段施錠されている入室ゲート１４０は、読取装置１００が非接触ＩＣカード１２０、又は、タグ１１０の認証に成功した時点で電気錠装置１５０によって解錠され、解錠されてから一定時間経過した時点で再び施錠される。
以下、上述の認証システム１０００について詳細に説明する。
＜構成＞
＜非接触ＩＣカード＞
非接触ＩＣカード１２０は、ＣＰＵ（Central Processing Unit）と、メモリと、アンテナと、不揮発性メモリと、変復調器等を内蔵するカードであって、アンテナで受信する電磁波をエネルギー源として動作し、メモリや不揮発性メモリに記憶しているプログラムを、ＣＰＵとメモリを用いて実行することで、様々な機能を実現する。
【００３４】
非接触ＩＣカード１２０は、また、内蔵するアンテナを用いて、読取装置１００と通信することができる。
図２は非接触ＩＣカード１２０の主要機能ブロックの構成を示す構成図である。
非接触ＩＣカード１２０は、読取装置１００から送信されるＨＦ帯（１３．５６ＭＨｚの周波数帯）の信号を受信し、受信するＨＦ帯の電磁波をエネルギーとして、ＨＦ帯の信号を読取装置に送信するカードであって、ＨＦ帯送受信器５１０と、カード制御部５２０と、ＨＦ帯用アンテナ５１１と、不揮発性メモリ５３０とを備える。
【００３５】
ＨＦ帯送受信器５１０は、読取装置１００から送信された信号をＨＦ帯用アンテナ５１１から受信し、受信した信号を復調し、復調したデータをカード制御部５２０に出力する機能と、カード制御部５２０から送られてきたデータを変調して、ＨＦ帯にてＨＦ帯用アンテナ５１１から送信する機能とを有する。
不揮発性メモリ５３０は、非接触ＩＣカード１２０が無効であるか否かを示す無効化フラグを記憶する機能を有する。
【００３６】
無効化フラグは、“１”である場合には非接触ＩＣカード１２０が無効であることを示し、“０”である場合には非接触ＩＣカード１２０が有効であることを示すフラグである。
カード制御部５２０は、自器のカードＩＤを記憶し、非接触ＩＣカード１２０を用いた認証処理を行うためのカード被認証処理と、カードＩＤをタグ１１０に記憶させるためのカード関連付け処理と、タグ１１０に記憶するカードＩＤを無効なものとするためのカード関連解除処理とを行う。
【００３７】
カード制御部５２０は、カード関連付け処理を行うために、ＨＦ帯送受信器５１０を介して受信する受信信号が、非接触ＩＣカードとタグとを関連付ける旨のカード関連付け信号である場合において、不揮発性メモリ５３０に記憶する無効化フラグが“０”であるときには、記憶するカードＩＤを含めたカード関連付け応答データを作成して、ＨＦ帯送受信器５１０を介してカード関連付け応答信号として読取装置１００に送信し、不揮発性メモリ５３０に記憶する無効化フラグが“１”であるときには、カードＩＤが無効であることを示すデータをカードＩＤとして含めたカード関連付け応答データを作成して、ＨＦ帯送受信器５１０を介してカード関連付け応答信号として読取装置１００に送信する機能を有する。
【００３８】
カードＩＤが無効であることを示すデータは、例えば、カードＩＤが１０ビットからなるデータであって、有効カードＩＤは全てのビットが“０”にはならないよう運用上規定してあるときであれば、全てのビットが“０”であるデータ等が考えられる。
カード制御部５２０は、さらに、受信信号が非接触ＩＣカードを無効化する旨のカード無効化信号である場合には、不揮発性メモリ５３０に記憶する無効化フラグを“１”とし、記憶するカードＩＤを含めたカード無効化応答データを作成し、ＨＦ帯送受信器５１０を介してカード無効化応答信号として読取装置１００に送信する機能を有する。
【００３９】
カード制御部５２０は、また、カード関連解除処理を行うために、受信信号が非接触ＩＣカードとタグとの関連付けを解除する旨のカード関連解除信号である場合には、記憶するカードＩＤを含めたカード関連解除応答データを作成し、ＨＦ帯送受信器５１０を介してカード関連解除応答信号として読取装置１００に送信する機能を有する。
カード制御部５２０は、さらに、受信信号が非接触ＩＣカードの無効化を解除する旨のカード有効化信号である場合には、不揮発性メモリ５３０に記憶する無効化フラグを“０”とし、記憶するカードＩＤを含めたカード有効化応答データを作成し、ＨＦ帯送受信器５１０を介してカード有効化応答信号として読取装置１００に送信する機能を有する。
【００４０】
カード制御部５２０は、また、カード被認証処理を行うために、カードＩＤを問い合わせる旨のカード質問信号を受信する場合において、不揮発性メモリ５３０に記憶する無効化フラグが“０”であるときには、記憶するカードＩＤを含めたカード応答データを作成して、ＨＦ帯送受信器５１０を介してカード応答信号として読取装置１００に送信し、不揮発性メモリ５３０に記憶する無効化フラグが“１”であるときには、カードＩＤが無効であることを示すデータをカードＩＤとして含めたカード応答データを作成して、ＨＦ帯送受信器５１０を介してカード応答信号として読取装置１００に送信する機能を有する。
【００４１】
＜タグ＞
タグ１１０は、ＣＰＵ（Central Processing Unit）と、メモリと、アンテナと、ＲＯＭ（Read Only Memory）と、不揮発性メモリと、変復調器と、電池等を内蔵するタグであって、電池をエネルギー源として動作し、メモリやＲＯＭや不揮発性メモリに記憶しているプログラムを、ＣＰＵとメモリを用いて実行することで、様々な機能を実現する。
【００４２】
図３は、タグ１１０の主要機能ブロックの構成を示すブロック図である。
タグ１１０は、識別情報であるタグＩＤを保持し、ＬＦ帯（１２０〜１４０ＫＨｚの周波数帯）にて、読取装置１００からの信号を受信し、ＵＨＦ帯（３００ＭＨｚ〜３ＧＨｚ）の周波数帯）にて、読取装置１００への信号を送信するタグであって、ＬＦ帯送受信器４１０と、ＬＦ帯用アンテナ４１１と、ＵＨＦ帯送信器４２０と、ＵＨＦ帯用アンテナ４２１と、電池４４０と、タグ制御部４５０と、ＬＥＤ（Light Emitting Diode）４３１と、ボタン４３２と、ＲＯＭ４３３と、不揮発性メモリ４３４と、タイマ４３５とを備える。
【００４３】
ＬＦ帯送受信器４１０は、読取装置１００から送信される信号をＬＦ帯用アンテナ４１１から受信し、受信した信号を復調し、復調したデータをタグ制御部４５０に出力する機能を有している。
ＵＨＦ帯送信器４２０は、タグ制御部４５０から送られてきたデータを変調して、ＵＨＦ帯にてＵＨＦ帯用アンテナ４２１から送信する機能を有している。
【００４４】
電池４４０は、タグ１１０の各構成要素に対して電力を供給する。
ＬＥＤ４３１は、発光ダイオードであって、タグ制御部４５０からの制御信号に応じて、発光状態と非発光状態とを切り換える機能を有する。
ボタン４３２は、タグ１１０表面にユーザが操作可能なように配されているボタンであって、ユーザにより押下された場合に、その旨の信号をタグ制御部４５０に出力する機能を有している。
【００４５】
ＲＯＭ４３３は、自器のタグＩＤと、プログラムとを記憶している。
不揮発性メモリ４３４は、自器と関連付けられている非接触ＩＣカードのカードＩＤと、記憶しているカードＩＤが有効であるか否かを示すカード有効フラグと所定の時刻とを記憶する機能を有する。
ここで所定の時刻とは、認証システム１０００が、タグ１１０を用いて行う認証処理を成功として扱うことができる時間帯のことであり、例えば、午後８時以降翌朝午前８時以前といった時間帯である。
【００４６】
ここで、カード有効フラグとは、カード有効フラグが”１”である場合は、記憶しているカードＩＤが有効であることを示し、カード有効フラグが”０”である場合には、記憶しているカードＩＤが無効であることを示すフラグである。
タイマ４３５は、時計機能と、時間を計測するタイマ機能とを有する。
タグ制御部４５０は、タグ１１０を用いた認証処理を行うためのタグ被認証処理と、タグ１１０がカードＩＤ記憶するためのタグ関連付け処理と、タグ１１０に記憶するカードＩＤを無効なものとするためのタグ関連解除動作とを行う。
【００４７】
タグ制御部４５０は、タグ関連付け処理、又は、タグ関連解除動作を行うために、ボタン４３２がユーザによって押下された場合に、ＲＯＭ４３３の記憶するタグＩＤを含めたタグ発信データを作成し、ＵＨＦ帯送信器４２０を介してタグ発信信号として読取装置１００に送信する機能を有する。
タグ制御部４５０は、また、タイマ４３５を用いて時間を計測することで、タグ発信信号を送信してから所定時間Ｔｔ１（例えば５秒）内に、ＬＦ帯送受信器４１０を介して、非接触ＩＣカードとタグとを関連付ける旨のタグ関連付け信号を受信する場合には、タグ関連付け信号に含まれているカードＩＤを不揮発性メモリ４３４に記憶させて、カード有効フラグを”１”とし、ＲＯＭ４３３の記憶するタグＩＤを含めたタグ関連付け応答データを作成し、ＵＨＦ帯送信器４２０を介してタグ関連付け応答信号として読取装置１００に送信する機能を有する。
【００４８】
タグ制御部４５０は、さらに、タイマ４３５を用いて時間を計測することで、タグ関連付け応答信を送信してから所定時間Ｔｔ２（例えば１０秒）内に、ＬＦ帯送受信器４１０を介して、タグのＬＥＤを発光させる旨のタグＬＥＤ発光信号を受信すると、タイマ４３５を用いて時間を計測することで、ＬＥＤ４３１を所定時間Ｔｔ３（例えば１０秒）間発光させる機能を有する。
【００４９】
タグ制御部４５０は、また、タグ関連解除動作を行うために、タイマ４３５を用いて時間を計測することで、タグ発信信号を送信してから所定時間Ｔｔ１（例えば５秒）内に、ＬＦ帯送受信器４１０を介して、受信信号が非接触ＩＣカードとタグとの関連付けを解除する旨のタグ関連解除信号を受信する場合には、不揮発性メモリ４３４のカード有効フラグを”０”とし、ＲＯＭ４３３に記憶するタグＩＤを含めたタグ関連解除応答データを作成し、ＵＨＦ帯送信器４２０を介してタグ関連解除応答信号として読取装置１００に送信する機能を有する。
【００５０】
タグ制御部４５０は、さらに、タイマ４３５を用いて時間を計測することで、タグ関連解除応答信号を送信してから所定時間Ｔｔ２（例えば１０秒）内に、ＬＦ帯送受信器４１０を介して、タグのＬＥＤを発光させる旨のタグＬＥＤ発光信号を受信すると、タイマ４３５を用いて時間を計測することで、ＬＥＤ４３１を所定時間Ｔｔ３（例えば１０秒）間発光させる機能を有する。
【００５１】
タグ制御部４５０は、また、タグ被認証処理をするために、タグＩＤを問い合わせる旨のタグ質問信号を受信する場合において、不揮発性メモリ４３４に記憶するカード有効フラグが“１”であって、かつ、タイマ４３５の示す時刻が不揮発性メモリ４３４の記憶する所定の時刻（例えば午後８時以降翌朝午前８時以前）以外の時刻であって、かつ、タグ関連付け応答信号を前回送信してから所定時間Ｔｔ４（例えば７日）以内であるときには、ＲＯＭ４３３で記憶するタグＩＤと、不揮発性メモリ４３４で記憶するカードＩＤとを含めたタグ応答データを作成して、ＨＦ帯送受信器５１０を介してタグ応答信号として読取装置１００に送信し、不揮発性メモリ４３４に記憶するカード有効フラグが“０”である、又は、タイマ４３５の示す時刻が不揮発性メモリ４３４の記憶する所定の時刻である、又は、タグ関連付け応答信号を前回送信してから所定時間Ｔｔ４（例えば７日）以内でないときには、ＲＯＭ４３３で記憶するタグＩＤと、カードＩＤが無効であることを示すデータをカードＩＤとして含めたタグ応答データを作成して、ＨＦ帯送受信器５１０を介してタグ応答信号として読取装置１００に送信する機能を有する。
【００５２】
＜管理サーバ、入室ゲート、電気錠装置＞
管理サーバ１３０は、ＣＰＵ、メモリ、ハードディスク、ディスプレイ、キーボード等を備えたコンピュータシステムであって、カードＩＤ毎にカードＩＤと権限情報とを対応付けて管理情報群として記憶し、タグＩＤをタグＩＤ群として記憶する。
管理サーバ１３０は、また、読取装置１００と有線で接続され、読取装置１００に定期的に管理情報群とタグＩＤ群とを送信することで、読取装置１００に最新の管理情報群とタグＩＤ群とを記憶させる機能を有する。
【００５３】
管理サーバ１３０は、複数の読取装置に接続しているが、ここでは、説明を簡略にするために、読取装置１００にのみ接続しているとしている。
入室ゲート１４０は、セキュリティエリアに入室するためのゲートであって、普段は電気錠装置１５０によって施錠されている。
電気錠装置１５０は、入室ゲート１４０の施錠と解錠とを行う鍵制御装置であって、読取装置１００と有線で接続され、普段は入室ゲート１４０を施錠しているが、読取装置１００から認証に成功した旨の信号を受けると、信号を受けた時点で解錠し、所定時間（例えば１０秒）経過すると再び施錠する機能を有する。
【００５４】
＜読取装置＞
読取装置１００は、ＣＰＵ（Central Processing Unit）と、メモリと、アンテナと、ＲＯＭ（Read Only Memory）と、不揮発性メモリと、変復調器等を内蔵し、入室ゲート１４０脇に設置され、メモリやＲＯＭや不揮発性メモリに記憶しているプログラムを、ＣＰＵとメモリを用いて実行することで、様々な機能を実現する。
【００５５】
図４は、読取装置１００の主要機能ブロックの構成を示すブロック図である。
読取装置１００は、管理サーバ１３０と電気錠装置１５０とに接続し、非接触ＩＣカード１２０からカードＩＤを読み取って認証処理を行い、タグからカードＩＤを読み取って認証処理を行い、認証に成功すると、電気錠装置１５０を用いて入室ゲート１４０を解錠させる読取装置であって、インターフェース部３１０と、ＬＥＤ３２０と、表示部３３０と、解錠信号送信部３４０と、タイマ３５０と、スピーカ３６５と、タグ認証処理装置３７５と、カード認証処理装置３８５と、制御部３９０と、関連付けスイッチ１０３と、関連解除スイッチ１０４とを備える。
【００５６】
インターフェース部３１０は、有線によって管理サーバ１３０と通信し、管理サーバ１３０から送信される管理情報群を受信し、制御部３９０に送信する。
ＬＥＤ３２０は、制御部３９０からの制御信号に応じて、発光状態と非発光状態とを切り換える機能を有する。
表示部３３０は、液晶ディスプレイであって、制御部３９０からの制御信号に応じて、文字等を表示する機能を有する。
【００５７】
解錠信号送信部３４０は、認証に成功した旨の信号を、電気錠装置１５０に送信する機能を有する。
タイマ３５０は、時計機能と、時間を計測するタイマ機能とを有する。
スピーカ３６５は、制御部３９０からの制御信号に応じて、音声を出力する機能を有する。
【００５８】
関連付けスイッチ１０３は、読取装置１００表面にユーザが操作可能なように配されているスイッチであって、ユーザにより押下された場合に、非接触ＩＣカードとタグとの関連付けを行う旨の信号を制御部３９０に出力する機能を有している。
関連解除スイッチ１０４は、読取装置１００表面にユーザが操作可能なように配されているスイッチであって、ユーザにより押下された場合に、非接触ＩＣカードとタグとの関連付けを解除する旨の信号を制御部３９０に出力する機能を有している。
【００５９】
カード認証処理装置３８５は、カードと通信する機能と、カードの認証処理を行う機能とを有し、ＨＦ帯送受信器３８０と、ＨＦ帯用アンテナ３８１と、カード認証制御部３９３とから構成される。
ＨＦ帯送受信器３８０は、カード認証制御部３９３、又は、制御部３９０から送られてきたデータを変調して、ＨＦ帯にてＨＦ帯用アンテナ３８１から非接触ＩＣカードへ送信し、非接触ＩＣカードから送信される信号をＨＦ帯用アンテナ３８１から受信し、受信した信号を復調し、復調したデータをカード認証制御部３９３、又は、制御部３９０に出力する機能を有する。
【００６０】
カード認証制御部３９３は、カード認証処理を行うために、非接触ＩＣカードを起動するためのカード質問信号を、タイマ３５０を用いて周期的（例えば５０ｍｓ毎）にＨＦ帯にてＨＦ帯送受信器３８０を介して非接触ＩＣカードに送信し、非接触ＩＣカードからＨＦ帯にて返信されるカード応答信号を、ＨＦ帯送受信器３８０を介して受信する機能を有する。
【００６１】
カード認証制御部３９３は、また、タイマ３５０を用いて時間を計測することで、カード質問信号を送信してから所定時間Ｔ５（例えば１秒）内に、非接触ＩＣカードからＨＦ帯にて返信されるカード応答信号を、ＨＦ帯送受信器３８０を介して受信する場合において、受信するカード応答信号に含まれるカードＩＤが、記憶する管理情報群のなかに、所定の権限情報（例えば、入室ゲート１４０を解錠させる権限があることを示す情報）と対応付けられて記憶されている場合に、解錠信号送信部３４０に、認証に成功した旨の信号を電気錠装置１５０に対して送信させる機能を有する。
【００６２】
タグ認証処理装置３７５は、タグと通信する機能と、タグの認証処理を行う機能とを有し、ＬＦ帯送受信器３６０と、ＬＦ帯用アンテナ３６１と、ＵＨＦ帯受信器３７０と、ＵＨＦ帯用アンテナ３７１と、タグ認証制御部３９１とから構成される。
ＬＦ帯送受信器３６０は、タグ認証制御部３９１、又は、制御部３９０から送られてきたデータを変調して、ＬＦ帯にてＬＦ帯用アンテナ３６１からタグへ送信する機能を有する。
【００６３】
ＵＨＦ帯受信器３７０は、タグから送信された信号をＵＨＦ帯用アンテナ３７１から受信し、受信した信号を復調し、復調したデータをタグ認証制御部３９１、又は、制御部３９０に出力する機能を有する。
タグ認証制御部３９１は、タグの認証処理を行うために、タグ質問信号を、タイマ３５０を用いて周期的（例えば３６０ｍｓ毎）にＬＦ帯にてＬＦ帯送受信器３６０を介してタグに送信し、タグからＵＨＦ帯にて返信されるタグ応答信号を、ＵＨＦ帯受信器３７０を介して受信する機能を有する。
【００６４】
タグ認証制御部３９１は、また、受信するタグ応答信号に含まれるタグＩＤが、制御部３９０に記憶されているタグＩＤ群の中に存在するタグＩＤである場合であって、応答信号に含まれるカードＩＤが、制御部３９０に記憶されている管理情報群の中に存在し、所定の権限情報（例えば、入室ゲート１４０を解錠させる権限があることを示す情報）と対応付けられているカードＩＤであるときに、そのカードＩＤに対応するタグ無効化フラグ（後述）が“０”であれば、認証処理を成功として扱い、解錠信号送信部３４０に、認証に成功した旨の信号を電気錠装置１５０に対して送信させる。
【００６５】
制御部３９０は、管理サーバ１３０から送信される、管理情報群とタグＩＤ群とを記憶している。
図５は、制御部３９０が記憶している管理情報群を示す図である。
管理情報群は、非接触ＩＣカードを識別するカードＩＤ９１０のそれぞれに、非接触ＩＣカードの権限を示す権限情報９２０と、非接触ＩＣカードを所有する人物を識別する個人ＩＤ９３０と、その人物の氏名９４０と、その人物の所属部署名９５０と、カードＩＤにタグを関連付けることが有効であるか否かを示すタグ無効化フラグ９６０とが、対応付けられて記憶されている情報群である。
【００６６】
権限情報９２０には、Ａランクと、Ｂランクと、Ｃランクとの３種類の権限ランクがあり、Ａランクは、非接触ＩＣカードを用いた認証処理が行われた場合と、タグを用いた認証処理が行われた場合とのいずれの場合でも、入室ゲート１４０を解錠させる権限があることを示し、Ｂランクは、非接触ＩＣカードを用いた認証処理が行われた場合にのみ、入室ゲート１４０を解錠させる権限があることを示し、Ｃランクは、入室ゲート１４０を解錠させる権限がないことを示している。
【００６７】
タグ無効化フラグ９６０は、“０”である場合に、対応するカードＩＤにタグを関連付けることが有効であることを示し、“１”である場合に、対応するカードＩＤにタグを関連付けることが無効であることを示すフラグである。
制御部３９０は、また、関連付けスイッチ１０３と、非接触ＩＣカード１２０と、タグ１１０と、タグ認証処理装置３７５と、カード認証処理装置３８５と、ＬＥＤ３２０と、表示部３３０と、タイマ３５０と、スピーカ３６５とを用いて、非接触ＩＣカード１２０のカードＩＤをタグ１１０に記憶させることで、カードＩＤとタグＩＤとを関連付ける関連付け動作を行う機能を有する。
【００６８】
制御部３９０が行う関連付け動作については、後程、フローチャートを用いて詳細に説明する。
制御部３９０は、さらに、関連解除スイッチ１０４と、非接触ＩＣカード１２０と、タグ１１０と、タグ認証処理装置３７５と、カード認証処理装置３８５と、ＬＥＤ３２０と、表示部３３０と、タイマ３５０と、スピーカ３６５とを用いて、非接触ＩＣカード１２０のカードＩＤとタグ１１０のタグＩＤとの関連付けを解除する関連解除動作を行う機能を有する。
【００６９】
制御部３９０が行う関連解除動作についても、後程、フローチャートを用いて詳細に説明する。
＜タグと非接触ＩＣカードが用いる通信信号＞
以下、認証システム１０００において、読取装置１００とタグ１１０との通信と、読取装置１００と非接触ＩＣカード１２０との通信とで使用される通信信号について説明する。
【００７０】
図６（ａ）は、読取装置１００から非接触ＩＣカード１２０に送信される通信信号（以下、「第１種通信信号」という。）、すなわち、カード関連付け信号、カード関連解除信号、カード無効化信号、カード有効化信号、カード質問信号のデータ構成を示す図である。
同図に示すように、第１種通信信号は、ＰＲ（PReamble）１１と、カードモードフラグ１２と、ＣＲＣ（Cyclic Redundancy Check）１３とから構成される。
【００７１】
ＰＲ１１は、第１種通信信号の始まりを示す同期信号であり、ＣＲＣ１３は、第１種通信信号に誤りが発生しているか否かを検出するための信号である。
カードモードフラグ１２は、このフラグが含まれる第１種通信信号の意味を示すための３ビットからなるフラグで、ここでは、“０００”の場合はカード関連付け信号であり、“００１”の場合はカード関連解除信号であり、“０１０”の場合はカード無効化信号であり、“０１１”の場合はカード有効化信号であり、“１００”の場合はカード質問信号であることを示す。
【００７２】
図６（ｂ）は、読取装置１００からタグ１１０に送信される通信信号のうちタグ関連付け信号を除く通信信号（以下、「第２種通信信号」という。）、すなわち、タグ関連解除信号、タグＬＥＤ発光信号、タグ質問信号のデータ構成を示す図である。
同図に示すように、第２種通信信号は、ＰＲ５８と、タグモードフラグ５９と、ＣＲＣ６０とから構成される。
【００７３】
ＰＲ５８は、第２種通信信号の始まりを示す同期信号であり、ＣＲＣ６０は、第２種通信信号に誤りが発生しているか否かを検出するための信号である。
タグモードフラグ５９は、このフラグが含まれる第２種通信信号の意味を示すための２ビットからなるフラグで、ここでは、“００”の場合はタグ関連解除信号であり、“０１”の場合はタグＬＥＤ発光信号であり、“１０”の場合はタグ質問信号であることを示す。
【００７４】
図６（ｃ）は、読取装置１００からタグ１１０に送信されるタグ関連付け信号のデータ構成を示す図である。
同図に示すように、タグ関連付け信号は、ＰＲ３５と、タグモードフラグ３６と、カードＩＤ３７と、ＣＲＣ３８とから構成される。
ＰＲ３５は、タグ関連付け信号の始まりを示す同期信号であり、ＣＲＣ３８は、タグ関連付け信号に誤りが発生しているか否かを検出するための信号である。
【００７５】
タグモードフラグ３６は、このフラグが含まれる通信信号がタグ関連付け信号であることを示す２ビットからなるフラグで、ここでは、“１１”となっている。
カードＩＤ３７は、タグ１１０に記憶させるカードＩＤを示す信号である。
図６（ｄ）は、非接触ＩＣカード１２０から読取装置１００に送信される通信信号（以下、「第３種通信信号」という。）、すなわち、カード関連付け応答信号、カード関連解除応答信号、カード無効化応答信号、カード有効化応答信号、カード応答信号のデータ構成を示す図である。
【００７６】
同図に示すように、第３種通信信号は、ＰＲ１４と、カード応答モードフラグ１５と、カードＩＤ１６と、ＣＲＣ１７とから構成される。
ＰＲ１４は、第３種通信信号の始まりを示す同期信号であり、ＣＲＣ１７は、第３種通信信号に誤りが発生しているか否かを検出するための信号である。
カード応答モードフラグ１９は、このフラグが含まれる第３種通信信号の意味を示すための３ビットからなるフラグで、ここでは、“０００”の場合はカード関連付け応答信号であり、“００１”の場合はカード関連解除応答信号であり、“０１０”の場合はカード無効化応答信号であり、“０１１”の場合はカード有効化応答信号であり、“１００”の場合はカード応答信号であることを示す。
【００７７】
カードＩＤ１６は、非接触ＩＣカード１２０が記憶しているカードＩＤを示す信号である。
図７（ａ）は、タグ１１０から読取装置１００に送信される通信信号のうちタグ応答信号を除く通信信号（以下、「第４種通信信号」という。）、すなわち、タグ関連付け応答信号、タグ関連解除応答信号、タグ発信信号のデータ構成を示す図である。
【００７８】
同図に示すように、第４種通信信号は、ＰＲ３１と、タグ応答モードフラグ３２と、タグＩＤ３３と、ＣＲＣ３４とから構成される。
ＰＲ３１は、第４種通信信号の始まりを示す同期信号であり、ＣＲＣ３４は、第４種通信信号に誤りが発生しているか否かを検出するための信号である。
タグ応答モードフラグ３２は、このフラグが含まれる第４種通信信号の意味を示すための２ビットからなるフラグで、ここでは、“００”の場合はタグ関連付け応答信号であり、“０１”の場合はタグ関連解除応答信号であり、“１０”の場合はタグ発信信号であることを示す。
【００７９】
タグＩＤ３３は、タグ１１０が記憶しているタグＩＤを示す信号である。
図７（ｂ）は、タグ１１０から読取装置１００に送信されるタグ応答信号のデータ構成を示す図である。
同図に示すように、タグ応答信号は、ＰＲ６１と、タグ応答モードフラグ６２と、タグＩＤ６３と、カードＩＤ６４と、ＣＲＣ６５とから構成される。
【００８０】
ＰＲ６１は、タグ応答信号の始まりを示す同期信号であり、ＣＲＣ６５は、第４種通信信号に誤りが発生しているか否かを検出するための信号である。
タグ応答モードフラグ６２は、このフラグが含まれる通信信号がタグ応答信号であることを示す２ビットからなるフラグで、ここでは、“１１”となっている。
タグＩＤ６３は、タグ１１０が記憶しているタグＩＤを示す信号であって、カードＩＤ６４はタグ１１０が記憶しているカードＩＤ、もしくは、タグ１１０によって作成された、カードＩＤが無効であることを示すデータを示す信号である。
【００８１】
＜動作＞
以下、上記構成を備える認証システム１０００の動作を説明する。
認証システム１０００の主な動作は、（１）非接触ＩＣカードのカードＩＤとタグのタグＩＤとの関連付けを行う関連付け動作と、（２）非接触ＩＣカードを用いた認証処理を行うカード認証動作と、（３）タグを用いた認証処理を行うタグ認証動作と、（４）非接触ＩＣカードとタグとの関連付けを解除する関連解除動作との４つの動作がある。
【００８２】
以下、各動作について、順にフローチャートを用いて説明する。
＜関連付け動作＞
図８は、関連付け動作において、読取装置１００と、非接触ＩＣカード１２０と、タグ１１０とを用いてユーザの行う動作を説明するための斜視図であって、シーン１〜シーン５の５つの斜視図からなる。
【００８３】
ここで、ＬＥＤ３２０ａ〜３２０ｄは、それぞれＬＥＤ３２０を構成する４つのＬＥＤであり、ユーザの手１９０は、関連付け動作を行うユーザの手を示している。
図９、図１０は、関連付け動作における、読取装置１００の行う処理を示すフローチャートであって、図１１は、関連付け動作における非接触ＩＣカード１２０の行う処理（カード関連付け処理）を示すフローチャートであって、図１２は、関連付け動作におけるタグ１１０の行う処理（タグ関連付け処理）を示すフローチャートである。
【００８４】
読取装置１００が起動している状態（図８のシーン１参照）で、ユーザが関連付けスイッチ１０３を押下すると（図９のステップＳ１０００）、制御部３９０に非接触ＩＣカードとタグとの関連付けを行う旨の信号が伝達され、制御部３９０は、ＨＦ帯送受信器３８０に、タイマ３５０を用いて周期的（例えば５０ｍｓ毎）に所定時間Ｔ１（例えば１０秒）期間カード関連付け信号を繰り返し送信させ（ステップＳ１０１０）、表示部３３０に「関連付け処理を開始します」との文字列と、「カードをかざしてください」との文字列とを表示させ、スピーカ３６５に「関連付け処理を開始します」との音声と、「カードをかざしてください」との音声とを出力させる（図８のシーン２、シーン３参照）。
【００８５】
表示部３３０の表示に従って、ユーザが非接触ＩＣカード１２０を読取装置１００にかざすと（シーン３参照）、非接触ＩＣカード１２０のＨＦ帯送受信器５１０はカード関連付け信号を受信し（図１１のステップＳ１２００）、カード制御部５２０は、不揮発性メモリ５３０に記憶する無効化フラグが“０”であるときには（ステップＳ１２１０：Ｙｅｓ）、記憶するカードＩＤを含めたカード関連付け応答データを作成して、ＨＦ帯送受信器５１０を介してカード関連付け応答信号として読取装置１００に送信する（ステップＳ１２２０）。
【００８６】
ステップＳ１２１０において、不揮発性メモリ５３０に記憶する無効化フラグが“１”であるときには（ステップＳ１２１０：Ｎｏ）、カードＩＤが無効であることを示すデータをカードＩＤとして含めたカード関連付け応答データを作成して、ＨＦ帯送受信器５１０を介してカード関連付け応答信号として読取装置１００に送信して（ステップＳ１２６０）、関連付け動作における非接触ＩＣカード１２０の処理を終了する。
【００８７】
制御部３９０は、タイマ３５０を用いて時間を計測することで、関連付けを行う旨の信号が伝達されてから所定時間Ｔ１（例えば１０秒）以内に、ＨＦ帯送受信器３８０を介してカード関連付け応答信号を受信したか否かを判断し（図９のステップＳ１０２０）、カード関連付け応答信号を受信した場合に（ステップＳ１０２０：Ｙｅｓ）、カード関連付け応答信号に含まれるカードＩＤが、記憶する管理情報群のなかに、Ａランクの権限情報と対応付けられて記憶されているか否かを判断し（ステップＳ１０３０）、Ａランクの権限情報と対応付けられて記憶されている場合に（ステップＳ１０３０：Ｙｅｓ）、表示部３３０に「タグのボタンを押してください」との文字列を表示させ、スピーカ３６５に「タグのボタンを押してください」との音声を出力させる（図８のシーン４参照）。
【００８８】
表示部３３０の表示に従って、ユーザがタグ１１０を読取装置とタグ１１０との距離が所定の範囲内（例えば、１．５ｍ以内）で、ボタン４３２を押下すると（シーン４参照、図１２のステップＳ１３００）、タグ制御部４５０は、ＲＯＭ４３３の記憶するタグＩＤを含めたタグ発信データを作成し、ＵＨＦ帯送信器４２０を介してタグ発信信号として読取装置１００に送信する（ステップＳ１３１０）。
【００８９】
制御部３９０は、タイマ３５０を用いて時間を計測することで、関連付けを行う旨の信号が伝達されてから所定時間Ｔ２（例えば３０秒）以内に、ＵＨＦ帯受信器３７０を介してタグ発信信号を受信したか否かを判断し（図９のステップＳ１０４０）、タグ発信信号を受信した場合に（ステップＳ１０４０：Ｙｅｓ）、タグ発信信号に含まれるタグＩＤが、記憶するタグＩＤ群の中に含まれているか否かを判断し（ステップＳ１０５０）、記憶しているタグＩＤである場合に（ステップＳ１０５０：Ｙｅｓ）、ＬＦ帯送受信器３６０に、カード関連付け応答信号に含まれるカードＩＤを含ませたタグ関連付け信号を送信させる（図１０のステップＳ１１００）。
【００９０】
タグ制御部４５０は、タイマ４３５を用いて時間を計測することで、タグ発信信号を送信してから所定時間Ｔｔ１（例えば５秒）以内に、ＬＦ帯送受信器４１０を介して、タグ関連付け信号を受信するか否かを判断し（図１２のステップＳ１３２０）、タグ関連付け信号を受信した場合に（ステップＳ１３２０：Ｙｅｓ）、タグ関連信号に含まれているカードＩＤを不揮発性メモリ４３４に上書きして記憶させて（ステップＳ１３３０）、カード有効フラグを”１”とし（ステップＳ１３４０）、ＲＯＭ４３３の記憶するタグＩＤを含めたタグ関連付け応答データを作成し、ＵＨＦ帯送信器４２０を介してタグ関連付け応答信号として読取装置１００に送信する（ステップＳ１３５０）。
【００９１】
ステップＳ１３２０において、タグ関連付け信号を受信しなかった場合に（ステップＳ１３２０：Ｎｏ）、関連付け動作におけるタグ１１０の処理を終了する。
制御部３９０は、タイマ３５０を用いて時間を計測することで、タグ関連付け信号を送信させてから所定時間Ｔ３（例えば５秒）以内に、ＵＨＦ帯受信器３７０を介してタグ関連付け応答信号を受信したか否かを判断し（図１０のステップＳ１１１０）、タグ関連付け応答信号を受信した場合に（ステップＳ１１１０：Ｙｅｓ）、タグ関連付け応答信号に含まれるタグＩＤが、記憶するタグＩＤ群の中に含まれているか否かを判断し（ステップＳ１１２０）、タグＩＤ群の中に含まれていた場合に（ステップＳ１１２０：Ｙｅｓ）、ＨＦ帯送受信器３８０に、カード無効化信号を送信させる（ステップＳ１１３０）。
【００９２】
非接触ＩＣカード１２０がカード無効化信号を受信すると（図１１のステップＳ１２３０：Ｙｅｓ）、カード制御部５２０は、不揮発性メモリ５３０に記憶する無効化フラグを“１”とし（ステップＳ１２４０）、記憶するカードＩＤを含めたカード無効化応答データを作成し、ＨＦ帯送受信器５１０を介してカード無効化応答信号として読取装置１００に送信して（ステップＳ１２５０）、非接触ＩＣカード１２０は、関連付け動作における処理を終了する。
【００９３】
非接触ＩＣカード１２０は、ユーザが非接触ＩＣカード１２０を読取装置１００にかざすのを中断する等の理由によって、カード無効化応答信号を受信しなければ（ステップＳ１２３０：Ｎｏ）、関連付け動作における非接触ＩＣカード１２０の処理を終了する。
制御部３９０は、また、タイマ３５０を用いて時間を計測することで、カード無効化信号を送信させてから所定時間Ｔ４（例えば５秒）以内に、ＨＦ帯送受信器３８０を介してカード無効化応答信号を受信したか否かを判断し（図１０のステップＳ１１４０）、カード無効化応答信号を受信した場合に（ステップＳ１１４０：Ｙｅｓ）、カード無効化応答信号に含まれるカードＩＤに対応して記憶するタグ無効化フラグを“０”として（ステップＳ１１４３）、ＬＦ帯送受信器３６０に、タグ発光信号を送信させ（ステップＳ１１４５）て、表示部３３０に「関連付け処理に成功しました」との文字列を表示させて、スピーカ３６５に「関連付け処理に成功しました」との音声を出力させて、ＬＥＤ３２０ｄを発光させて、読取装置１００は、関連付け動作における処理を終了する（図８のシーン５参照、ステップＳ１１５０）。
【００９４】
ステップＳ１１４０において、カード無効化応答信号を受信しなかった場合に（ステップＳ１１４０：Ｎｏ）、最近に送信させたタグ関連付け信号に含ませたカードＩＤに対応して記憶するタグ無効化フラグを“１”とする（ステップＳ１１６０）。
ステップＳ１０２０においてカード関連付け応答信号を受信しなかった場合と（ステップＳ１０２０：Ｎｏ）、ステップＳ１０３０においてＡランクの権限情報と対応付けられて記憶されていない場合と（ステップＳ１０３０：Ｎｏ）、ステップＳ１０４０においてタグ発信信号を受信なかった場合と（ステップＳ１０４０：Ｎｏ）、ステップＳ１０５０において記憶しているタグＩＤでない場合と（ステップＳ１０５０：Ｎｏ）、ステップＳ１１１０においてタグ関連付け応答信号を受信しなかった場合と（ステップＳ１１１０：Ｎｏ）、ステップＳ１１２０においてタグＩＤ群の中に含まれていなかった場合と（ステップＳ１１２０：Ｎｏ）、ステップＳ１１６０の処理を終了した場合に、制御部３９０は、表示部３３０に「関連付け処理に成功しませんでした」との文字列を表示させ、スピーカ３６５に「関連付け処理に成功しませんでした」との音声を出力させ（ステップＳ１１７０）、読取装置１００は、関連付け動作における処理を終了する。
【００９５】
タグ制御部４５０は、タイマ４３５を用いて時間を計測することで、タグ関連付け応答信号を送信してから所定時間Ｔｔ２（例えば１０秒）内に、ＬＦ帯送受信器４１０を介して、タグＬＥＤ発光信号を受信するか否かを判断し（図１２のステップＳ１３６０）、タグＬＥＤ発光信号を受信した場合に（ステップＳ１３６０：Ｙｅｓ）、タイマ４３５を用いて時間を計測することで、ＬＥＤ４３１を所定時間Ｔｔ３（例えば１０秒）の間発光させて（ステップＳ１３７０：図８のシーン５参照）、タグ１１０は、関連付け動作における処理を終了する。
【００９６】
タグ１１０は、また、ステップＳ１３６０において、タグＬＥＤ発光信号を受信しなかった場合に（ステップＳ１３６０：Ｎｏ）、関連付け動作における処理を終了する。
＜カード認証動作＞
図１３は、カード認証動作における読取装置１００の行う処理を示すフローチャートであって、図１４は、カード認証動作における非接触ＩＣカード１２０の行う処理（カード被認証処理）を示すフローチャートである。
【００９７】
カード認証制御部３９３は、カード質問信号を、タイマ３５０を用いて周期的（例えば５０ｍｓ毎）にＨＦ帯にてＨＦ帯送受信器３８０を介して送信する（ステップＳ１４００）。
非接触ＩＣカード１２０は、ＨＦ帯用アンテナ５１１を介してカード質問信号を受信すると（図１４のステップＳ１５００）、カード制御部５２０は、不揮発性メモリ５３０に記憶する無効化フラグが“０”であるか否かを判断し（ステップＳ１５１０）、無効化フラグが“０”であるときには（ステップＳ１５１０：Ｙｅｓ）、記憶するカードＩＤを含めたカード応答データを作成して、ＨＦ帯送受信器５１０を介してカード応答信号として読取装置１００に送信し（ステップＳ１５２０）、記憶する無効化フラグが“１”であるときには、カードＩＤが無効であることを示すデータをカードＩＤとして含めたカード関連付け応答データを作成して、ＨＦ帯送受信器５１０を介してカード関連付け応答信号として読取装置１００に送信して（ステップＳ１５３０）、非接触ＩＣカード１２０は、カード認証動作における処理を終了する。
【００９８】
カード認証制御部３９３は、タイマ３５０を用いて時間を計測することで、カード質問信号を送信してからＴ５（例えば１秒）以内に、カード応答信号を、ＨＦ帯送受信器３８０を介して受信するか否かを判断し（図１３のステップＳ１４１０）、受信した場合に（ステップＳ１４１０：Ｙｅｓ）、受信したカード応答信号に含まれるカードＩＤが、記憶する管理情報群の中に、Ａランク、又は、Ｂランクの権限情報と対応付けられて記憶されているか否かを判断し（ステップＳ１４２０）、記憶されている場合に（ステップＳ１４２０：Ｙｅｓ）、認証処理を成功として扱い、解錠信号送信部３４０に、認証に成功した旨の信号を電気錠装置１５０に対して送信させ（ステップＳ１４４０）、再びステップＳ１４００の処理を開始する。
【００９９】
カード認証制御部３９３は、ステップＳ１４１０において受信しなかった場合（ステップＳ１４１０：Ｎｏ）と、ステップＳ１４２０において記憶されていない場合（ステップＳ１４２０：Ｎｏ）に、認証処理を失敗と扱い、解錠信号送信部３４０に、認証に成功した旨の信号を電気錠装置１５０に対して送信させずに、再びステップＳ１４００の処理を開始する。
【０１００】
＜タグ認証動作＞
図１５は、タグ認証動作における読取装置１００の行う処理を示すフローチャートであって、図１６は、タグ認証動作におけるタグ１１０の行う処理（タグ被認証処理）を示すフローチャートである。
タグ認証制御部３９１は、タグ質問信号を、タイマ３５０を用いて周期的（例えば３６０ｍｓ毎）にＬＦ帯にてＬＦ帯送受信器３６０を介し送信する（ステップＳ１６００）。
【０１０１】
タグ１１０は、ＬＦ帯送受信器４１０を介してタグ質問信号を受信すると（図１６のステップＳ１７００）、タグ制御部４５０は、不揮発性メモリ４３４に記憶するカード有効フラグが“１”であるか否かを判断し（ステップＳ１７１０）、カード有効フラグが“１”であるときには（ステップＳ１７１０：Ｙｅｓ）、タイマ４３５の示す時刻が不揮発性メモリ４３４の記憶する所定の時刻（例えば午後８時以降翌朝午前８時以前）であるか否かを判断する（ステップＳ１７２０）。
【０１０２】
タグ制御部４５０は、ステップＳ１７２０において、所定の時刻でないと判断した場合に（ステップＳ１７２０：Ｙｅｓ）、タイマ４３５を使って前回タグ関連付け応答信号を送信してから所定時間Ｔｔ４（例えば７日）以内であるか否かを判断し（ステップＳ１７３０）、所定時間Ｔｔ４（例えば７日）以内であれば（ステップＳ１７３０：Ｙｅｓ）、ＲＯＭ４３３で記憶するタグＩＤと、不揮発性メモリ４３４で記憶するカードＩＤとを含めたタグ応答データを作成して、ＨＦ帯送受信器５１０を介してタグ応答信号として読取装置１００に送信して（ステップＳ１７４０）、タグ１１０は、タグ認証動作における処理を終了する。
【０１０３】
タグ制御部４５０は、ステップＳ１７１０においてカード有効フラグが“０”であるとき（ステップＳ１７１０：Ｎｏ）と、ステップＳ１７２０において所定の時刻であるとき（ステップＳ１７２０：Ｎｏ）と、ステップＳ１７３０において所定時間Ｔｔ４（例えば７日）以内でないとき（ステップＳ１７３０：Ｎｏ）には、ＲＯＭ４３３で記憶するタグＩＤと、“カードＩＤが無効であることを示すデータをカードＩＤとして含めたカード関連付け応答データを作成して、ＨＦ帯送受信器５１０を介してカード関連付け応答信号として読取装置１００に送信して（ステップＳ１７５０）、タグ１１０は、タグ認証動作における処理を終了する。
【０１０４】
タグ認証制御部３９１は、タイマ３５０を用いて時間を計測することで、カード質問信号を送信してからＴ６（例えば１秒）以内に、タグ応答信号を、ＵＨＦ帯受信器３７０を介して受信するか否かを判断し（図１５のステップＳ１６１０）、受信した場合に（ステップＳ１６１０：Ｙｅｓ）、受信したタグ応答信号に含まれるタグＩＤが、制御部３９０に記憶されているタグＩＤ群の中に存在し、応答信号に含まれるカードＩＤが、制御部３９０に記憶されている管理情報群の中に存在し、Ａランクの権限情報と対応付けられているカードＩＤであるか否かを判断する（ステップＳ１６２０）。
【０１０５】
タグ認証制御部３９１は、ステップＳ１６２０において、タグＩＤがタグＩＤ群の中に存在し、かつ、カードＩＤがＡランクの権限情報と対応付けられて管理情報群の中に存在するとき（ステップＳ１６２０：Ｙｅｓ）、そのカードＩＤに対応付けられているタグ無効化フラグが“０”であるか否かを判断し（ステップＳ１６３０）、無効化フラグが“０”である場合に（ステップＳ１６３０：Ｙｅｓ）、認証処理を成功として扱い、解錠信号送信部３４０から、認証に成功した旨の信号を電気錠装置１５０に対して送信させ（ステップＳ１６４０）、再びステップＳ１６００の処理を開始する。
【０１０６】
タグ認証制御部３９１は、ステップＳ１６１０において受信しなかった場合（ステップＳ１６１０：Ｎｏ）と、ステップＳ１６２０においてタグＩＤがタグＩＤ群の中に存在しない、又は、カードＩＤがＡランクの権限情報と対応付けられて管理情報群の中に存在しない場合（ステップＳ１６２０：Ｎｏ）と、ステップＳ１６３０において、無効化フラグが“１”である場合（ステップＳ１６３０：Ｎｏ）に、認証処理を失敗と扱い、解錠信号送信部３４０に、認証に成功した旨の信号を電気錠装置１５０に対して送信させずに、再びステップＳ１６００の処理を開始する。
【０１０７】
＜関連解除動作＞
図１７、図１８は、関連解除動作における、読取装置１００の行う処理を示すフローチャートであって、図１９は、関連解除動作における非接触ＩＣカード１２０の行う処理（カード関連解除処理）を示すフローチャートであって、図２０は、関連解除動作におけるタグ１１０の行う処理（タグ関連解除処理）を示すフローチャートである。
【０１０８】
読取装置１００が起動している状態で、ユーザが関連解除スイッチ１０４を押下すると（図１７のステップＳ２０００）、制御部３９０に非接触ＩＣカードとタグとの関連付けを解除する旨の信号が伝達され、制御部３９０は、ＨＦ帯送受信器３８０に、タイマ３５０を用いて周期的（例えば５０ｍｓ毎）に所定時間Ｔ１（例えば１０秒）期間カード関連解除信号を繰り返し送信させ（ステップＳ２０１０）、表示部３３０に「関連解除処理を開始します」との文字列と、「カードをかざしてください」との文字列とを表示させ、スピーカ３６５に「関連解除処理を開始します」との音声と、「カードをかざしてください」との音声とを出力させる。
【０１０９】
表示部３３０の表示に従って、ユーザが非接触ＩＣカード１２０を読取装置１００にかざすと、非接触ＩＣカード１２０のＨＦ帯送受信器５１０はカード関連解除信号を受信し（図１９のステップＳ２２００）、記憶するカードＩＤを含めたカード関連解除応答データを作成して、ＨＦ帯送受信器５１０を介してカード関連解除応答信号として読取装置１００に送信する（ステップＳ２２１０）。
【０１１０】
制御部３９０は、タイマ３５０を用いて時間を計測することで、関連付けを解除する旨の信号が伝達されてから所定時間Ｔ１（例えば１０秒）以内に、ＨＦ帯送受信器３８０を介してカード関連解除応答信号を受信したか否かを判断し（図１７のステップＳ２０２０）、カード関連解除応答信号を受信した場合に（ステップＳ２０２０：Ｙｅｓ）、カード関連解除応答信号に含まれるカードＩＤが、記憶する管理情報群の中に含まれているか否かを判断し（ステップＳ２０３０）、含まれている場合に（ステップＳ２０３０：Ｙｅｓ）、表示部３３０に「タグのボタンを押してください」との文字列を表示させ、スピーカ３６５に「タグのボタンを押してください」との音声を出力させる。
【０１１１】
表示部３３０の表示に従って、ユーザがタグ１１０を読取装置１００とタグ１１０との距離が所定の範囲内（例えば、１．５ｍ以内）で、ボタン４３２を押下すると（図２０のステップＳ２３００）、タグ制御部４５０は、ＲＯＭ４３３の記憶するタグＩＤを含めたタグ発信信号を作成し、ＵＨＦ帯送信器４２０を介して読取装置１００に送信する（ステップＳ２３１０）。
【０１１２】
制御部３９０は、タイマ３５０を用いて時間を計測することで、関連付けを解除する旨の信号が伝達されてから所定時間Ｔ２（例えば３０秒）以内に、ＵＨＦ帯受信器３７０を介してタグ発信信号を受信したか否かを判断し（図１７のステップＳ２０４０）、タグ発信信号を受信した場合に（ステップＳ２０４０：Ｙｅｓ）、タグ発信信号に含まれるタグＩＤが、記憶するタグＩＤ群の中に含まれているか否かを判断し（ステップＳ２０５０）、記憶しているタグＩＤである場合に（ステップＳ２０５０：Ｙｅｓ）、ＬＦ帯送受信器３６０に、タグ関連解除信号を送信させる（図１８のステップＳ２１００）。
【０１１３】
タグ制御部４５０は、タイマ４３５を用いて時間を計測することで、タグ発信信号を送信してから所定時間Ｔｔ１（例えば５秒）以内に、ＬＦ帯送受信器４１０を介して、タグ関連解除信号を受信するか否かを判断し（図２０のステップＳ２３２０）、タグ関連解除信号を受信した場合に（ステップＳ２３２０：Ｙｅｓ）、カード有効フラグを”０”とし（ステップＳ２３３０）、ＲＯＭ４３３の記憶するタグＩＤを含めたタグ関連解除応答データを作成し、ＵＨＦ帯送信器４２０を介してタグ関連解除応答信号として読取装置１００に送信する（ステップＳ２３４０）。
【０１１４】
ステップＳ２３２０において、タグ関連解除信号を受信しなかった場合に（ステップＳ２３２０：Ｎｏ）、関連解除動作におけるタグ１１０の処理を終了する。
制御部３９０は、タイマ３５０を用いて時間を計測することで、タグ関連解除信号を送信させてから所定時間Ｔ３（例えば５秒）以内に、ＵＨＦ帯受信器３７０を介してタグ関連器所応答信号を受信したか否かを判断し（図１８のステップＳ２１１０）、タグ関連解除応答信号を受信した場合に（ステップＳ２１１０：Ｙｅｓ）、タグ関連解除応答信号に含まれるタグＩＤが、記憶するタグＩＤ群の中に含まれているか否かを判断し（ステップＳ２１２０）、タグＩＤ群の中に含まれていた場合に（ステップＳ２１２０：Ｙｅｓ）、ＨＦ帯送受信器３８０に、カード有効化信号を送信させる（ステップＳ２１３０）。
【０１１５】
非接触ＩＣカード１２０がカード有効化信号を受信すると（図１９のステップＳ２２２０：Ｙｅｓ）、カード制御部５２０は、不揮発性メモリ５３０に記憶する無効化フラグを“０”とし（ステップＳ２２３０）、記憶するカードＩＤを含めたカード有効化応答データを作成し、ＨＦ帯送受信器５１０を介してカード有効化応答信号として読取装置１００に送信して（ステップＳ２２４０）、非接触ＩＣカード１２０は、関連解除動作における処理を終了する。
【０１１６】
非接触ＩＣカード１２０は、ユーザが非接触ＩＣカード１２０を読取装置１００にかざすのを中断する等の理由によって、カード無効化応答信号を受信しなければ（ステップＳ２２２０：Ｎｏ）、関連解除動作における非接触ＩＣカード１２０の処理を終了する。
制御部３９０は、また、タイマ３５０を用いて時間を計測することで、カード有効化信号を送信させてから所定時間Ｔ４（例えば５秒）以内に、ＨＦ帯送受信器３８０を介してカード有効化応答信号を受信したか否かを判断し（図１８のステップＳ２１４０）、カード有効化応答信号を受信した場合に（ステップＳ２１４０：Ｙｅｓ）、ＬＦ帯送受信器３６０に、タグ発光信号を送信させ（ステップＳ２１４５）て、表示部３３０に「関連解除処理に成功しました」との文字列を表示させて、スピーカ３６５に「関連解除処理に成功しました」との音声を出力させて（ステップＳ２１５０）、ＬＥＤ３２０ｃを発光させて、読取装置１００は、関連解除動作における処理を終了する。
【０１１７】
ステップＳ２０２０においてカード関連解除応答信号を受信しなかった場合と（ステップＳ２０２０：Ｎｏ）、ステップＳ２０３０においてカードＩＤが含まれていない場合と（ステップＳ２０３０：Ｎｏ）、ステップＳ２０４０においてタグ発信信号を受信なかった場合と（ステップＳ２０４０：Ｎｏ）、ステップＳ２０５０において記憶しているタグＩＤでない場合と（ステップＳ２０５０：Ｎｏ）、ステップＳ２１１０においてタグ関連解除応答信号を受信しなかった場合と（ステップＳ２１１０：Ｎｏ）、ステップＳ２１２０においてタグＩＤ群の中に含まれていなかった場合と（ステップＳ２１２０：Ｎｏ）、ステップＳ２１４０においてカード有効化応答信号を受信しなかった場合（ステップＳ２１４０：Ｎｏ）に、制御部３９０は、表示部３３０に「関連解除処理に成功しませんでした」との文字列を表示させ、スピーカ３６５に「関連解除処理に成功しませんでした」との音声を出力させて（ステップＳ２１７０）、読取装置１００は、関連解除動作における処理を終了する。
【０１１８】
タグ制御部４５０は、タイマ４３５を用いて時間を計測することで、タグ関連付け応答信号を送信してから所定時間Ｔｔ２（例えば１０秒）内に、ＬＦ帯送受信器４１０を介して、タグＬＥＤ発光信号を受信するか否かを判断し（図２０のステップＳ２３６０）、タグＬＥＤ発光信号を受信した場合に（ステップＳ２３６０：Ｙｅｓ）、タイマ４３５を用いて時間を計測することで、ＬＥＤ４３１を所定時間所定時間Ｔｔ３（例えば１０秒）の間発光させて（ステップＳ２３７０）、タグ１１０は、関連解除動作における処理を終了する。
【０１１９】
タグ１１０は、また、ステップＳ２３６０において、タグＬＥＤ発光信号を受信しなかった場合に（ステップＳ２３６０：Ｎｏ）、関連解除動作における処理を終了する。
＜実施の形態２＞
実施の形態１では、カードＩＤをタグに記憶させることでタグＩＤとカードＩＤとの関連付けを行う認証システム１０００について説明したが、本実施の形態２では、読取装置の制御部が記憶する管理情報群に、カードＩＤと関連付けてタグＩＤを記憶させることでタグＩＤとカードＩＤとの関連付けを行うように変形した認証システム２０００について説明する。
【０１２０】
以下認証システム２０００について、認証システム２０００と、認証システム１０００との相違点を中心に説明する。
＜概要＞
ここでは、本実施の形態２を説明するために、図１を用いて、認証システム１０００を認証システム２０００に、読取装置１００を読取装置２１００に、タグ１１０をタグ２１１０に読み替えて説明する。
【０１２１】
認証システム２０００は、実施の形態１に係る認証システム１０００から、読取装置１００を読取装置２１００に、タグ１１０をタグ２１１０に置き替えて変形した認証システムである。
認証システム２０００は、セキュリティエリアへの入室を管理する認証システムであって、セキュリティエリアに通じる入室ゲート１４０と、入室ゲート１４０を施解錠するための電気錠装置１５０と、タグ２１１０と、非接触ＩＣカード１２０と、タグ２１１０と非接触ＩＣカード１２０との認証処理を行い認証に成功すると電気錠装置１５０に入室ゲート１４０を解錠させる読取装置２１００と、読取装置２１００と通信し読取装置２１００の記憶する情報を常に最新情報で更新することができる管理サーバ１３０とから構成される。
【０１２２】
認証システム２０００は、非接触ＩＣカード１２０を識別するカードＩＤと権限情報とを関連付けて記憶しているが、タグ１１０を識別するタグＩＤと権限情報とを関連付けて記憶していない場合において、ユーザから読取装置２１００を用いた所定の操作がなされるとき、読取装置２１００は、タグ２１１０のタグＩＤを非接触ＩＣカード１２０のカードＩＤに対応付けて記憶する認証システムである。
【０１２３】
認証システム２０００において、読取装置２１００に、タグ２１１０のタグＩＤを非接触ＩＣカード１２０のカードＩＤに対応付けて記憶させた後は、ユーザは、そのタグ２１１０を用いて認証処理を行うことができるようになる。
読取装置２１００は、非接触ＩＣカード１２０を用いた認証処理を行う機能と、タグ２１１０を用いた認証処理を行う機能と、タグ２１１０のタグＩＤを非接触ＩＣカード１２０のカードＩＤに対応付けて記憶する機能とを有する。
【０１２４】
読取装置２１００は、非接触ＩＣカード１２０を識別するカードＩＤと権限情報とを関連付けて記憶しており、ユーザによって非接触ＩＣカード１２０が読取装置２１００にかざされることによってカードＩＤを読み取り、読み取ったカードＩＤが、所定の権限情報（例えば、入室ゲート１４０を解錠させる権限があることを示す情報）と対応付けられて記憶されている場合に、非接触ＩＣカード１２０を用いた認証処理に成功する。
【０１２５】
読取装置２１００は、また、ユーザによって関連付けスイッチ１０３を押下されることで、非接触ＩＣカード１２０とタグ２１１０との関連付け処理を開始し、関連付けに成功した場合に、タグ２１１０のタグＩＤを非接触ＩＣカード１２０のカードＩＤに対応付けて記憶する。
読取装置２１００は、さらに、タグ２１１０に対して定期的にタグ質問信号を送信し、タグ質問信号に対する応答信号であるタグ応答信号をタグ２１１０から受信し、受信する応答信号のタグＩＤが、カードＩＤと対応付けられて記憶されているタグＩＤである場合において、そのカードＩＤが所定の権限情報（例えば、入室ゲート１４０を解錠させる権限があることを示す情報）と対応付けて記憶されているカードＩＤであるときに、タグ２１１０を用いた認証処理に成功する。
【０１２６】
普段施錠されている入室ゲート１４０は、読取装置２１００が非接触ＩＣカード１２０、又は、タグ２１１０の認証に成功した時点で電気錠装置１５０によって解錠され、解錠されてから一定時間経過した時点で再び施錠される。
以下、上述の認証システム２０００について詳細に説明する。
＜構成＞
＜非接触ＩＣカード、管理サーバ、入室ゲート、電気錠装置＞
認証システム２０００を構成する、非接触ＩＣカード１２０と、管理サーバ１３０と、入室ゲート１４０と、電気錠装置１５０とは、それぞれ、実施の形態１における非接触ＩＣカード１２０と、管理サーバ１３０と、入室ゲート１４０と、電気錠装置１５０と同じものである。
【０１２７】
＜タグ＞
タグ２１１０は、実施の形態１におけるタグ１１０から、不揮発性メモリ４３４を削除し、タグ制御部４５０をタグ制御部２４５０に置き替えて変形したタグである。
図２１は、タグ２１１０の主要機能ブロックの構成を示すブロック図である。
ＬＦ帯送受信器４１０、ＬＦ帯用アンテナ４１１、ＵＨＦ帯送信器４２０、ＵＨＦ帯用アンテナ４２１、ＬＥＤ４３１、ボタン４３２、ＲＯＭ４３３、電池４４０、タイマ４３５とは、それぞれ、実施の形態１におけるＬＦ帯送受信器４１０、ＬＦ帯用アンテナ４１１、ＵＨＦ帯送信器４２０、ＵＨＦ帯用アンテナ４２１、ＬＥＤ４３１、ボタン４３２、ＲＯＭ４３３、電池４４０、タイマ４３５と同じものである。
【０１２８】
タグ制御部２４５０は、タグ２１１０を用いた認証処理を行うためのタグ被認証処理と、タグ２１１０がカードＩＤ記憶するためのタグ関連付け処理と、タグ２１１０に記憶するカードＩＤを無効なものとするためのタグ関連解除処理とを行う。
タグ制御部２４５０は、タグ関連付け処理、又は、タグ関連解除処理を行うために、ボタン４３２がユーザによって押下された場合に、ＲＯＭ４３３の記憶するタグＩＤを含めたタグ発信データを作成し、ＵＨＦ帯送信器４２０を介してタグ発信信号として読取装置２１００に送信する機能を有する。
【０１２９】
タグ制御部２４５０は、さらに、タイマ４３５を用いて時間を計測することで、タグ発信信号を送信してから所定時間Ｔｔ１２（例えば１０秒）内に、ＬＦ帯送受信器４１０を介して、タグのＬＥＤを発光させる旨のタグＬＥＤ発光信号を受信すると、タイマ４３５を用いて時間を計測することで、ＬＥＤ４３１を所定時間Ｔｔ３（例えば、１０秒）の間発光させる機能を有する。
【０１３０】
タグ制御部４５０は、また、タグ被認証処理をするために、タグＩＤを問い合わせる旨のタグ質問信号を受信すると、ＲＯＭ４３３で記憶するタグＩＤを含むタグ応答データを作成して、ＨＦ帯送受信器５１０を介してタグ応答信号読取装置１００に送信する機能を有する。
＜読取装置＞
読取装置２１００は、実施の形態１における読取装置１００から、制御部３９０を制御部２３９０に置き替え、タグ認証処理装置３７５をタグ認証処理装置２３７５に置き替えて、タグ認証制御部３９１をタグ認証制御部２３９１に置き替えて変形した読取装置である。
【０１３１】
図２２は、読取装置２１００の主要機能ブロックの構成を示すブロック図である。
インターフェース部３１０、ＬＥＤ３２０、表示部３３０、解錠信号送信部３４０、タイマ３５０、関連付けスイッチ１０３、関連解除スイッチ１０４、スピーカ３６５、カード認証処理装置３８５、ＬＦ帯送受信器３６０、ＬＦ帯用アンテナ３６１、ＵＨＦ帯受信器３７０、ＵＨＦ帯用アンテナ３７１、カード認証制御部３９３、ＨＦ帯送受信器３８０、ＨＦ帯用アンテナ３８１とは、それぞれ、実施の形態１におけるインターフェース部３１０、ＬＥＤ３２０、表示部３３０、解錠信号送信部３４０、タイマ３５０、関連付けスイッチ１０３、関連解除スイッチ１０４、スピーカ３６５、カード認証処理装置３８５、ＬＦ帯送受信器３６０、ＬＦ帯用アンテナ３６１、ＵＨＦ帯受信器３７０、ＵＨＦ帯用アンテナ３７１、カード認証制御部３９３、ＨＦ帯送受信器３８０、ＨＦ帯用アンテナ３８１と同じものである。
【０１３２】
タグ認証処理装置２３７５は、タグと通信する機能と、タグの認証処理を行う機能とを有し、ＬＦ帯送受信器３６０と、ＬＦ帯用アンテナ３６１と、ＵＨＦ帯受信器３７０と、ＵＨＦ帯用アンテナ３７１と、タグ認証制御部２３９１とから構成される。
タグ認証制御部２３９１は、タグ認証処理を行うために、タグ質問信号を、タイマ３５０を用いて周期的（例えば３６０ｍｓ毎）にＬＦ帯にてＬＦ帯送受信器３６０を介してタグに送信し、タグからＵＨＦ帯にて返信されるタグ応答信号を、ＵＨＦ帯受信器３７０を介して受信する機能を有する。
【０１３３】
タグ認証制御部２３９１は、また、受信するタグ応答信号に含まれるタグＩＤが、制御部２３９０に記憶されているタグＩＤ群の中に存在し、かつ、制御部２３９０に記憶されている管理情報群の中にＡランクの権限情報と対応付けられて記憶されているタグＩＤである場合において、そのタグＩＤに対応するタグ無効化フラグ（後述）が“０”であるとき、そのタグＩＤに対応するタグ利用回数（後述）が所定回数以下であれば、認証処理を成功として扱い、解錠信号送信部３４０に、認証に成功した旨の信号を電気錠装置１５０に対して送信させる。
【０１３４】
制御部２３９０は、管理サーバ１３０から送信される、管理情報群とタグＩＤ群とを記憶している。
図２３は、制御部２３９０が記憶している管理情報群を示す図である。
管理情報群は、非接触ＩＣカードを識別するカードＩＤ２８１０のそれぞれに、非接触ＩＣカードの権限を示す権限情報２８２０と、非接触ＩＣカードを所有する人物を識別する個人ＩＤ２８３０と、その人物の氏名２８４０と、その人物の所属部署名２８５０と、カードＩＤにタグを関連付けることが有効であるか否かを示すタグ無効化フラグ２８６０と、カードＩＤと関連付けられているタグＩＤ２８７０と、そのタグＩＤを用いた認証処理に成功した回数を示すタグ利用回数２８８０とが、対応付けられて記憶されている情報群である。
【０１３５】
権限情報２８２０には、Ａランクと、Ｂランクと、Ｃランクとの３種類の権限ランクがあり、Ａランクは、非接触ＩＣカードを用いた認証処理が行われた場合と、タグを用いた認証処理が行われた場合とのいずれの場合でも、入室ゲート１４０を解錠させる権限があることを示し、Ｂランクは、非接触ＩＣカードを用いた認証処理が行われた場合にのみ、入室ゲート１４０を解錠させる権限があることを示し、Ｃランクは、入室ゲート１４０を解錠させる権限がないことを示している。
【０１３６】
タグ無効化フラグ２８６０は、“０”である場合に、対応するカードＩＤにタグを関連付けることが有効であることを示し、“１”である場合に、対応するカードＩＤにタグを関連付けることが無効であることを示すフラグである。
制御部２３９０は、また、関連付けスイッチ１０３と、非接触ＩＣカード１２０と、タグ２１１０と、タグ認証処理装置２３７５と、カード認証処理装置３８５と、ＬＥＤ３２０と、表示部３３０と、タイマ３５０と、スピーカ３６５とを用いて、タグ２１１０のタグＩＤを非接触ＩＣカード１２０のカードＩＤに対応付けて記憶することで、カードＩＤとタグＩＤとを関連付ける関連付け動作を行う機能を有する。
【０１３７】
制御部２３９０が行う関連付け動作については、後程、フローチャートを用いて詳細に説明する。
制御部２３９０は、さらに、関連解除スイッチ１０４と、非接触ＩＣカード１２０と、タグ２１１０と、タグ認証処理装置２３７５と、カード認証処理装置３８５と、ＬＥＤ３２０と、表示部３３０と、タイマ３５０と、スピーカ３６５とを用いて、非接触ＩＣカード１２０のカードＩＤとタグ２１１０のタグＩＤとの関連付けを解除する関連解除動作を行う機能を有する。
【０１３８】
制御部２３９０が行う関連解除動作についても、後程、フローチャートを用いて詳細に説明する。
＜タグと非接触ＩＣカードが用いる通信信号＞
以下、認証システム２０００において、読取装置２１００とタグ２１１０との通信と、読取装置２１００と非接触ＩＣカード１２０との通信とで使用される通信信号について説明する。
【０１３９】
通信信号のうち、カード関連付け信号、カード関連付け解除信号、カード無効化信号、カード有効化信号、カード質問信号、タグＬＥＤ発光信号、タグ質問信号、カード関連付け応答信号、カード関連付け解除応答信号、カード無効化応答信号、カード有効化応答信号、カード応答信号、タグ発信信号は、実施の形態１と同一であるので、ここでは説明を省略する。
【０１４０】
図２４は、タグ２１１０から読取装置２１００に送信されるタグ応答信号のデータ構成を示す図である。
同図に示すように、タグ応答信号は、ＰＲ２０６１と、タグ応答モードフラグ２０６２と、タグＩＤ２０６３と、ＣＲＣ２０６５とから構成される。
ＰＲ２０６１は、タグ応答信号の始まりを示す同期信号であり、ＣＲＣ２０６５は、第４種通信信号に誤りが発生しているか否かを検出するための信号である。
【０１４１】
タグ応答モードフラグ２０６２は、このフラグが含まれる通信信号がタグ応答信号であることを示す２ビットからなるフラグで、ここでは、“１１”となっている。
タグＩＤ２０６３は、タグ１１０が記憶しているタグＩＤを示す信号である。
＜動作＞
以下、上記構成を備える認証システム２０００の動作を説明する。
【０１４２】
認証システム２０００の主な動作のうち、実施の形態１における認証システム１０００との違いは、（１）非接触ＩＣカードのカードＩＤとタグのタグＩＤとの関連付けを行う関連付け動作と、（２）タグを用いた認証処理を行うタグ認証動作と、（３）非接触ＩＣカードとタグとの関連付けを解除する関連解除動作との３つの動作がある。
ここではこの３つの動作についてのみ説明する。
【０１４３】
以下、各動作について、順にフローチャートを用いて説明する。
＜関連付け動作＞
図２５、図２６は、関連付け動作における、読取装置２１００の行う処理を示すフローチャートであって、図１１は、関連付け動作における非接触ＩＣカード１２０の行う処理（カード関連付け処理）を示すフローチャートであって、図２７は、関連付け動作におけるタグ２１１０の行う処理（タグ関連付け処理）を示すフローチャートである。
【０１４４】
読取装置２１００が起動している状態で、ユーザが関連付けスイッチ１０３を押下すると（図２５のステップＳ２５００）、制御部２３９０に非接触ＩＣカードとタグとの関連付けを行う旨の信号が伝達され、制御部２３９０は、ＨＦ帯送受信器３８０に、タイマ３５０を用いて周期的（例えば５０ｍｓ毎）に所定時間Ｔ１（例えば１０秒）期間カード関連付け信号を繰り返し送信させ（ステップＳ２５１０）、表示部３３０に「関連付け処理を開始します」との文字列と、「カードをかざしてください」との文字列とを表示させ、スピーカ３６５に「関連付け処理を開始します」との音声と、「カードをかざしてください」との音声とを出力させる。
【０１４５】
表示部３３０の表示に従って、ユーザが非接触ＩＣカード１２０を読取装置２１００にかざすと、非接触ＩＣカード１２０のＨＦ帯送受信器５１０はカード関連付け信号を受信し（図１１のステップＳ１２００）、カード制御部５２０は、不揮発性メモリ５３０に記憶する無効化フラグが“０”であるときには（ステップＳ１２１０：Ｙｅｓ）、記憶するカードＩＤを含めたカード関連付け応答データを作成して、ＨＦ帯送受信器５１０を介してカード関連付け応答信号として読取装置１００に送信する（ステップＳ１２２０）。
【０１４６】
ステップＳ１２１０において、不揮発性メモリ５３０に記憶する無効化フラグが“１”であるときには（ステップＳ１２１０：Ｎｏ）、カードＩＤが無効であることを示すデータをカードＩＤとして含めたカード関連付け応答データを作成して、ＨＦ帯送受信器５１０を介してカード関連付け応答信号として読取装置１００に送信して（ステップＳ１２６０）、関連付け動作における非接触ＩＣカード１２０の処理を終了する。
【０１４７】
制御部２３９０は、タイマ３５０を用いて時間を計測することで、関連付けを行う旨の信号が伝達されてから所定時間Ｔ１（例えば１０秒）以内に、ＨＦ帯送受信器３８０を介してカード関連付け応答信号を受信したか否かを判断し（図２５のステップＳ２５２０）、カード関連付け応答信号を受信した場合に（ステップＳ２５２０：Ｙｅｓ）、カード関連付け応答信号に含まれるカードＩＤが、記憶する管理情報群のなかに、Ａランクの権限情報と対応付けられて記憶されているか否かを判断し（ステップＳ２５３０）、Ａランクの権限情報と対応付けられて記憶されている場合に（ステップＳ２５３０：Ｙｅｓ）、表示部３３０に「タグのボタンを押してください」との文字列を表示させ、スピーカ３６５に「タグのボタンを押してください」との音声を出力させる。
【０１４８】
表示部３３０の表示に従って、ユーザがタグ１１０を読取装置とタグ１１０との距離が所定の範囲内（例えば１．５ｍ以内）で、ボタン４３２を押下すると（図２７のステップＳ２７００）、タグ制御部４５０は、ＲＯＭ４３３の記憶するタグＩＤを含めたタグ発信データを作成し、ＵＨＦ帯送信器４２０を介してタグ発信信号として読取装置２１００に送信する（ステップＳ２７１０）。
【０１４９】
制御部２３９０は、タイマ３５０を用いて時間を計測することで、関連付けを行う旨の信号が伝達されてから所定時間Ｔ２（例えば３０秒）以内に、ＵＨＦ帯受信器３７０を介してタグ発信信号を受信したか否かを判断し（図２５のステップＳ２５４０）、タグ発信信号を受信した場合に（ステップＳ２５４０：Ｙｅｓ）、タグ発信信号に含まれるタグＩＤが、記憶するタグＩＤ群の中に含まれているか否かを判断し（ステップＳ２５５０）、記憶しているタグＩＤである場合に（ステップＳ２５５０：Ｙｅｓ）、このタグＩＤを、受信したカード応答信号に含まれるカードＩＤと対応付けて管理情報群の中に記憶し（図２６のステップＳ２６２０）、ＨＦ帯送受信器３８０に、カード無効化信号を送信させる（ステップＳ２６３０）。
【０１５０】
非接触ＩＣカード１２０がカード無効化信号を受信すると（図１１のステップＳ１２３０：Ｙｅｓ）、カード制御部５２０は、不揮発性メモリ５３０に記憶する無効化フラグを“１”とし（ステップＳ１２４０）、記憶するカードＩＤを含めたカード無効化応答データを作成し、ＨＦ帯送受信器５１０を介してカード無効化応答信号として読取装置１００に送信して（ステップＳ１２５０）、非接触ＩＣカード１２０は、関連付け動作における処理を終了する。
【０１５１】
非接触ＩＣカード１２０は、ユーザが非接触ＩＣカード１２０を読取装置１００にかざすのを中断する等の理由によって、カード無効化応答信号を受信しなければ（ステップＳ１２３０：Ｎｏ）、関連付け動作における非接触ＩＣカード１２０の処理を終了する。
制御部２３９０は、また、タイマ３５０を用いて時間を計測することで、カード無効化信号を送信させてから所定時間Ｔ４（例えば５秒）以内に、ＨＦ帯送受信器３８０を介してカード無効化応答信号を受信したか否かを判断し（図２６のステップＳ２６４０）、カード無効化応答信号を受信した場合に（ステップＳ２６４０：Ｙｅｓ）、カード無効化応答信号に含まれるカードＩＤに対応して記憶するタグ無効化フラグを“０”として（ステップＳ２６４３）、ＬＦ帯送受信器３６０に、タグ発光信号を送信させ（ステップＳ２６４５）て、表示部３３０に「関連付け処理に成功しました」との文字列を表示させて、スピーカ３６５に「関連付け処理に成功しました」との音声を出力させて（ステップＳ２６５０）、ＬＥＤ３２０ｄを発光させて、読取装置１００は、関連付け動作における処理を終了する。
【０１５２】
ステップＳ２６４０において、カード無効化応答信号を受信しなかった場合に（ステップＳ２６４０：Ｎｏ）、最近に送信させたタグ関連付け信号に含ませたカードＩＤに対応して記憶するタグ無効化フラグを“１”とする（ステップＳ２６６０）。
ステップＳ２５２０においてカード関連付け応答信号を受信しなかった場合と（ステップＳ２５２０：Ｎｏ）、ステップＳ２５３０においてＡランクの権限情報と対応付けられて記憶されていない場合と（ステップＳ２５３０：Ｎｏ）、ステップＳ２５４０においてタグ発信信号を受信なかった場合と（ステップＳ２５４０：Ｎｏ）、ステップＳ２５５０において記憶しているタグＩＤでない場合と（ステップＳ２５５０：Ｎｏ）、ステップＳ２６６０の処理を終了した場合に、制御部２３９０は、表示部３３０に「関連付け処理に成功しませんでした」との文字列を表示させ、スピーカ３６５に「関連付け処理に成功しませんでした」との音声を出力させて（ステップＳ２６７０）、読取装置２１００は、関連付け動作における処理を終了する。
【０１５３】
タグ制御部４５０は、タイマ４３５を用いて時間を計測することで、タグ発信信号を送信してから所定時間Ｔｔ１２（例えば１０秒）内に、ＬＦ帯送受信器４１０を介して、タグＬＥＤ発光信号を受信するか否かを判断し（図２７のステップＳ２７２０）、タグＬＥＤ発光信号を受信した場合に（ステップＳ２７２０：Ｙｅｓ）、タイマ４３５を用いて時間を計測することで、ＬＥＤ４３１を所定時間Ｔｔ１３（例えば１０秒）の間発光させて（ステップＳ２７３０）、タグ２１１０は、関連付け動作における処理を終了する。
【０１５４】
タグ２１１０は、また、ステップＳ２７２０において、タグＬＥＤ発光信号を受信しなかった場合に（ステップＳ２７２０：Ｎｏ）、関連付け動作における処理を終了する。
＜タグ認証動作＞
図２８は、タグ認証動作における読取装置２１００の行う処理を示すフローチャートであって、図２９は、タグ認証動作におけるタグ２１１０の行う処理（タグ被認証処理）を示すフローチャートである。
【０１５５】
タグ認証制御部２３９１は、タグ質問信号を、タイマ３５０を用いて周期的（例えば３６０ｍｓ毎）にＬＦ帯にてＬＦ帯送受信器３６０を介し送信する（ステップＳ３２００）。
タグ２１１０は、ＬＦ帯送受信器４１０を介してタグ質問信号を受信すると（図２９のステップＳ３３００）、タグ制御部２４５０は、ＲＯＭ４３３で記憶するタグＩＤを含むタグ応答データを作成して、ＨＦ帯送受信器５１０を介してタグ応答信号として読取装置２１００に送信して（ステップＳ３３４０）、タグ２１１０は、タグ認証動作における処理を終了する。
【０１５６】
タグ認証制御部２３９１は、タイマ３５０を用いて時間を計測することで、カード質問信号を送信してからＴ６（例えば１秒）以内に、タグ応答信号を、ＵＨＦ帯受信器３７０を介して受信するか否かを判断し（図２８のステップＳ３２１０）、受信した場合に（ステップＳ３２１０：Ｙｅｓ）、受信したタグ応答信号に含まれるタグＩＤが、制御部２３９０に記憶されているタグＩＤ群の中に存在し、かつ、制御部２３９０に記憶されている管理情報群の中にＡランクの権限情報と対応付けられて記憶されているタグＩＤであるか否かを判断する（ステップＳ３２２０）。
【０１５７】
タグ認証制御部２３９１は、ステップＳ３２２０において、タグＩＤがタグＩＤ群の中に存在し、かつ、制御部２３９０に記憶されている管理情報群の中にＡランクの権限情報と対応付けられて記憶されているタグＩＤであるとき（ステップＳ３２２０：Ｙｅｓ）、そのタグＩＤに対応付けられているタグ無効化フラグが“０”であるか否かを判断し（ステップＳ３２３０）、無効化フラグが“０”である場合に（ステップＳ３２３０：Ｙｅｓ）、そのタグＩＤに対応するタグ利用回数が所定回数（例えば１０回）以下であるか否かを判断する（ステップＳ３２３５）。
【０１５８】
タグ認証制御部２３９１は、ステップＳ３２３５において、所定回数（例えば１０回）以下である場合に、認証処理を成功として扱い、解錠信号送信部３４０から、認証に成功した旨の信号を電気錠装置１５０に対して送信させ（ステップＳ３２４０）、再びステップＳ３２００の処理を開始する。
タグ認証制御部２３９１は、ステップＳ３２１０において受信しなかった場合（ステップＳ３２１０：Ｎｏ）と、ステップＳ３２２０においてタグＩＤがタグＩＤ群の中に存在しない、又は、制御部２３９０に記憶されている管理情報群の中にＡランクの権限情報と対応付けられて記憶されているタグＩＤでない場合（ステップＳ３２２０：Ｎｏ）と、ステップＳ３２３０において、無効化フラグが“１”である場合（ステップＳ３２３０：Ｎｏ）と、ステップＳ３２３５において、所定回数よりも多い場合（ステップＳ３２３５：Ｎｏ）とに、認証処理を失敗と扱い、解錠信号送信部３４０に、認証に成功した旨の信号を電気錠装置１５０に対して送信させずに、再びステップＳ３２００の処理を開始する。
【０１５９】
＜関連解除動作＞
図３０、図３１は、関連解除動作における、読取装置２１００の行う処理を示すフローチャートであって、図１９は、関連解除動作における非接触ＩＣカード１２０の行う処理（カード関連解除処理）を示すフローチャートであって、図３２は、関連解除動作におけるタグ２１１０の行う処理（タグ関連解除処理）を示すフローチャートである。
【０１６０】
読取装置２１００が起動している状態で、ユーザが関連解除スイッチ１０４を押下すると（図３０のステップＳ３４００）、制御部２３９０に非接触ＩＣカードとタグとの関連付けを解除する旨の信号が伝達され、制御部２３９０は、ＨＦ帯送受信器３８０に、タイマ３５０を用いて周期的（例えば５０ｍｓ毎）に所定時間Ｔ１（例えば１０秒）期間カード関連解除信号を繰り返し送信させ（ステップＳ３４１０）、表示部３３０に「関連解除処理を開始します」との文字列と、「カードをかざしてください」との文字列とを表示させ、スピーカ３６５に「関連解除処理を開始します」との音声と、「カードをかざしてください」との音声とを出力させる。
【０１６１】
表示部３３０の表示に従って、ユーザが非接触ＩＣカード１２０を読取装置２１００にかざすと、非接触ＩＣカード１２０のＨＦ帯送受信器５１０はカード関連解除信号を受信し（図１９のステップＳ２２００）、記憶するカードＩＤを含めたカード関連解除応答データを作成して、ＨＦ帯送受信器５１０を介してカード関連解除応答信号として読取装置１００に送信する（ステップＳ２２１０）。
【０１６２】
制御部２３９０は、タイマ３５０を用いて時間を計測することで、関連付けを解除する旨の信号が伝達されてから所定時間Ｔ１（例えば１０秒）以内に、ＨＦ帯送受信器３８０を介してカード関連解除応答信号を受信したか否かを判断し（図３０のステップＳ３４２０）、カード関連解除応答信号を受信した場合に（ステップＳ３４２０：Ｙｅｓ）、カード関連解除応答信号に含まれるカードＩＤが、記憶する管理情報群の中に含まれているか否かを判断し（ステップＳ３４３０）、含まれている場合に（ステップＳ３４３０：Ｙｅｓ）、表示部３３０に「タグのボタンを押してください」との文字列を表示させ、スピーカ３６５に「タグのボタンを押してください」との音声を出力させる。
【０１６３】
表示部３３０の表示に従って、ユーザがタグ２１１０を読取装置２１００とタグ２１１０との距離が１．５ｍ以内の範囲内で、ボタン４３２を押下すると（図３２のステップＳ３６００）、タグ制御部２４５０は、ＲＯＭ４３３の記憶するタグＩＤを含めたタグ発信データを作成し、ＵＨＦ帯送信器４２０を介してタグ発信信号として読取装置２１００に送信する（ステップＳ３６１０）。
【０１６４】
制御部２３９０は、タイマ３５０を用いて時間を計測することで、関連付けを解除する旨の信号が伝達されてから所定時間Ｔ２（例えば３０秒）以内に、ＵＨＦ帯受信器３７０を介してタグ発信信号を受信したか否かを判断し（図３０のステップＳ３４４０）、タグ発信信号を受信した場合に（ステップＳ３４４０：Ｙｅｓ）、タグ発信信号に含まれるタグＩＤが、記憶するタグＩＤ群の中に含まれているか否かを判断し（ステップＳ２０５０）、記憶しているタグＩＤである場合に（ステップＳ３４５０：Ｙｅｓ）、このタグＩＤを、管理情報群の中から削除し（図３１のステップＳ３５２０）、ＨＦ帯送受信器３８０に、カード有効化信号を送信させる（ステップＳ３５３０）。
【０１６５】
非接触ＩＣカード１２０がカード有効化信号を受信すると（図１９のステップＳ２２２０：Ｙｅｓ）、カード制御部５２０は、不揮発性メモリ５３０に記憶する無効化フラグを“０”とし（ステップＳ２２３０）、記憶するカードＩＤを含めたカード有効化応答信号を作成し、ＨＦ帯送受信器５１０を介して読取装置２１００に送信して（ステップＳ２２４０）、非接触ＩＣカード１２０は、関連解除動作における処理を終了する。
【０１６６】
非接触ＩＣカード１２０は、ユーザが非接触ＩＣカード１２０を読取装置２１００にかざすのを中断する等の理由によって、カード無効化応答信号を受信しなければ（ステップＳ２２２０：Ｎｏ）、関連解除動作における非接触ＩＣカード１２０の処理を終了する。
制御部２３９０は、また、タイマ３５０を用いて時間を計測することで、カード有効化信号を送信させてから所定時間Ｔ４（例えば５秒）以内に、ＨＦ帯送受信器３８０を介してカード有効化応答信号を受信したか否かを判断し（図３１のステップＳ３５４０）、カード有効化応答信号を受信した場合に（ステップＳ３５４０：Ｙｅｓ）、ＬＦ帯送受信器３６０に、タグ発光信号を送信させ（ステップＳ３５４５）て、表示部３３０に「関連解除処理に成功しました」との文字列を表示させて、スピーカ３６５に「関連解除処理に成功しました」との音声を出力させて（ステップＳ３５５０）、ＬＥＤ３２０ｃを発光させて、読取装置２１００は、関連解除動作における処理を終了する。
【０１６７】
ステップＳ３４２０においてカード関連解除応答信号を受信しなかった場合と（ステップＳ３４２０：Ｎｏ）、ステップＳ３４３０においてカードＩＤが含まれていない場合と（ステップＳ３４３０：Ｎｏ）、ステップＳ３４４０においてタグ発信信号を受信なかった場合と（ステップＳ３４４０：Ｎｏ）、ステップＳ３４５０において記憶しているタグＩＤでない場合と（ステップＳ３４５０：Ｎｏ）、ステップＳ３５４０においてカード有効化応答信号を受信しなかった場合（ステップＳ３５４０：Ｎｏ）に、制御部３９０は、表示部３３０に「関連解除処理に成功しませんでした」との文字列を表示させ、スピーカ３６５に「関連解除処理に成功しませんでした」との音声を出力させて（ステップＳ３５７０）、読取装置２１００は、関連解除動作における処理を終了する。
【０１６８】
タグ制御部２４５０は、タイマ４３５を用いて時間を計測することで、タグ発信信号を送信してから所定時間Ｔｔ１２（例えば１０秒）内に、ＬＦ帯送受信器４１０を介して、タグＬＥＤ発光信号を受信するか否かを判断し（図３２のステップＳ３６２０）、タグＬＥＤ発光信号を受信した場合に（ステップＳ３６２０：Ｙｅｓ）、タイマ４３５を用いて時間を計測することで、ＬＥＤ４３１を所定時間Ｔｔ１３（例えば１０秒）の間発光させて（ステップＳ３６３０）、タグ２１１０は、関連解除動作における処理を終了する。
【０１６９】
タグ２１１０は、また、ステップＳ３６２０において、タグＬＥＤ発光信号を受信しなかった場合に（ステップＳ３６２０：Ｎｏ）、関連解除動作における処理を終了する。
＜補足＞
以上、本発明に係る認証システムの一実施形態としてセキュリティエリアへの入室の管理を行う認証システムの例に基づいて説明したが、以下のように変形することも可能であり、本発明は上述した実施の形態で示した通りの認証システムに限られないことはもちろんである。
（１）実施の形態１、２において、請求項１記載の「第１種媒体と第２種媒体とを関連付けるための一定条件」に該当するものとして、読取装置１００、又は、読取装置２１００の関連付けスイッチ１０３を押下するとしているが、ユーザから出されるタグ１１０、又は、タグ２１１０と、非接触ＩＣカード１２０、又は、非接触ＩＣカード２１２０との関連付けを開始する旨の動作を検知するものであれば、これ以外のものであっても構わない。
【０１７０】
例えば、タグ１１０、又は、タグ２１１０のボタン４３２をダブルクリックするとか、非接触ＩＣカード１２０を読取装置１００にかざした後、１秒以内にタグ１１０、又は、タグ２１１０のボタン４３２を押下するとか、非接触ＩＣカード１２０を５秒以内に２回読取装置１００、又は、読取装置２１００にかざした後、５秒以内にタグ１１０、又は、タグ２１１０のボタン４３２を押下する等の様々なものが考えられる。
（２）実施の形態１、２において、タグが１個の場合についてのみ説明したが、タグが複数であって、それぞれのタグが互いに異なるタグＩＤを記憶していても構わない。
（３）実施の形態１、２において、タグ１１０、又は、タグ２１１０は、タグ応答信号としてＵＨＦ帯の周波数帯で送信する場合について説明したが、ＬＦ帯の周波数帯で送信するようにしても構わない。
（４）実施の形態１、２において、関連付け動作は、カード関連付け応答信号を受信した後にタグ発信信号を受信するとして説明したが、タグ発信信号を受け付けた後にカード関連付け応答信号を受信するとしても構わない。
【０１７１】
この場合、図９のフローチャートにおけるＳ１０００〜Ｓ１０５０の流れの順番は、Ｓ１０００、Ｓ１０４０、Ｓ１０５０、Ｓ１０１０、Ｓ１０２０、Ｓ１０３０という順番、又は、Ｓ１０００、Ｓ１０１０、Ｓ１０４０、Ｓ１０５０、Ｓ１０２０、Ｓ１０３０という順番等になり、図２５のフローチャートにおけるＳ２５００〜Ｓ２５５０の流れの順番は、Ｓ２５００、Ｓ２５４０、Ｓ２５５０、Ｓ２５１０、Ｓ２５２０、Ｓ２５３０という順番、又は、Ｓ２５００、Ｓ２５１０、Ｓ２５４０、Ｓ２５５０、Ｓ２５２０、Ｓ２５３０という順番等になる。
【０１７２】
同様に、実施の形態１、２において、関連解除動作は、カード関連解除応答信号を受信した後にタグ発信信号を受信するとして説明したが、タグ発信信号を受け付けた後にカード関連解除応答信号を受信するとしても構わない。
この場合、図１７のフローチャートにおけるＳ２０００〜Ｓ２０５０の流れの順番は、Ｓ２０００、Ｓ２０４０、Ｓ２０５０、Ｓ２０１０、Ｓ２０２０、Ｓ２０３０という順番、又は、Ｓ２０００、Ｓ２０１０、Ｓ２０４０、Ｓ２０５０、Ｓ２０２０、Ｓ２０３０という順番等になり、図３０のフローチャートにおけるＳ３４００〜Ｓ３４５０の流れの順番は、Ｓ３４００、Ｓ３４４０、Ｓ３４５０、Ｓ３４１０、Ｓ３４２０、Ｓ３４３０という順番、又は、Ｓ３４００、Ｓ３４１０、Ｓ３４４０、Ｓ３４５０、Ｓ３４２０、Ｓ３４３０という順番等になる。
（５）実施の形態１、２において、カードＩＤが無効であることを示すデータは、例えば、カードＩＤが１０ビットからなるデータであって、有効カードＩＤは全てのビットが“０”にはならないよう運用上規定してあるときであれば、全てのビットが“０”であるデータ等が考えられるとしたが、他の非接触ＩＣカードのカードＩＤとして使用されることの無いデータであれば、例えば全てのビットが“１”であるデータであっても構わない。
（６）実施の形態１、２において、Ｔ１は１０秒、Ｔ２は３０秒、Ｔ３は５秒、Ｔ４は５秒、Ｔ５は１秒、Ｔ６は１秒、Ｔｔ１は５秒、Ｔｔ２は１０秒、Ｔｔ３は１０秒、Ｔｔ４は７日、Ｔｔ１２は１０秒、Ｔｔ１３は１０秒としているが、Ｔ１、Ｔ２、Ｔ３、Ｔ４、Ｔ５、Ｔ６、Ｔｔ１、Ｔｔ２、Ｔｔ３、Ｔｔ４、Ｔｔ１２、Ｔｔ１３は、これら以外の時間であっても構わない。
【０１７３】
また、電気錠装置１５０は、読取装置１００、又は、読取装置２１００から認証に成功した旨の信号を受け取ると、信号を受けた時点で解錠し、所定時間１０秒経過すると再び施錠するとしたが、所定時間は、人がゲート１４０を通過できる時間であれば、１０秒以外であっても構わない。
また、実施の形態１において、不揮発性メモリ４３４の記憶する所定の時刻は、午後８時以降翌朝午前８時以前としたが、これ以外の時刻であっても構わない。
（７）実施の形態１、２において、ＬＥＤ３２０は、発光ダイオードであるとしたが、例えば、有機発光ダイオードといったような発光素子であれば、発光ダイオード以外の発光素子であっても構わない。
（８）実施の形態１、２において、表示部３３０は、液晶ディスプレイであるとしたが、液晶ディスプレイ以外の文字や絵を表示することができる表示デバイス、例えば、有機ＥＬ（Electro-Luminescence）ディスプレイや、ＰＤＰ（Plasma Display Panel）、ブラウン管といった、表示デバイスであっても構わない。
（９）実施の形態１、２において、制御部３９０、又は、制御部２９３０は、表示部３３０に、「関連付け処理を開始します」、「カードをかざしてください」、「タグのボタンを押してください」、「関連付け処理に成功しました」、「関連付け処理に失敗しました」との文字列を表示させるとしたが、ユーザに対して注意を喚起する表示であれば、これら以外の文字列や、絵や、写真や、動画等であっても構わないし、制御部３９０は、スピーカ３６５に、「関連付け処理を開始します」、「カードをかざしてください」、「タグのボタンを押してください」、「関連付け処理に成功しました」、「関連付け処理に失敗しました」との言葉を音声として出力させるとしたが、ユーザに対して注意を喚起する音であれば、これ以外の言葉であっても構わないし、ブザー音やメロディといった言葉以外の音であっても構わない。
（１０）実施の形態１、２において、カード認証制御部３９３は、カード質問信号、カード関連付け信号、カード関連解除信号を５０ｍｓ周期で周期的に送信するとしているが、５０ｍｓ以外の周期で周期的に送信するとしても構わない。
（１１）実施の形態１、２において、タグ認証制御部３９１、又はタグ認証制御部２３９１は、タグ質問信号を３６０ｍｓ周期で周期的に送信するとしているが、３６０ｍｓ以外の周期で周期的に送信するとしてもよい。
（１２）実施の形態１において、管理情報群は、カードＩＤ９１０のそれぞれに、権限情報９２０と、個人ＩＤ９３０と、氏名９４０と、所属部署名９５０と、タグ無効化フラグ９６０とが対応付けられて記憶されている情報群であるとしたが、カードＩＤ９１０と権限情報９２０とが対応付けられて記憶されていれば、個人ＩＤ９３０と、氏名９４０と、所属部署名９５０と、タグ無効化フラグ９６０とが対応付けられていなくても構わないし、これら以外の情報が対応付けられていても構わない。
【０１７４】
また、実施の形態２において、管理情報群は、カードＩＤ２８１０のそれぞれに、権限情報２８２０と、個人ＩＤ２８３０と、氏名２８４０と、所属部署名２８５０と、タグ無効化フラグ２８６０と、タグＩＤ２８７０と、タグ利用回数２８８０とが対応付けられて記憶されている情報群であるとしたが、カードＩＤ２８１０と、権限情報２８２０と、タグＩＤ２８７０とが対応付けられて記憶されていれば、個人ＩＤ２８３０と、氏名２８４０と、所属部署名２８５０と、タグ無効化フラグ２８６０と、タグ利用回数２８８０とが対応付けられていなくても構わないし、これら以外の情報が対応付けられていても構わない。
（１３）実施の形態１、２において、第１種通信信号のカードモードフラグは３ビットであるとしたが、第１種通信信号のうちの、どの信号であるかを区別することができるビット数であれば、４ビット以上のビット数であっても構わないし、第２種通信信号のモードフラグは２ビットであるとしたが、第２種通信信号のうちの、どの信号であるかを区別することができるビット数であれば、３ビット以上のビット数であっても構わないし、第３種通信信号のモードフラグは３ビットであるとしたが、第３種通信信号のうちの、どの信号であるかを区別することができるビット数であれば、４ビット以上のビット数であっても構わない。
（１４）実施の形態１、２において、タグ１１０、又は、タグ２１１０は、読取装置１００、又は、読取装置２１００からタグ質問信号を受信すると、タグ応答信号を送信するとしたが、読取装置１００、又は、読取装置２１００からのタグ質問信号を受信しなくても、定期的に質問信号を送信するとしても構わない。
（１５）実施の形態１、２において、権限情報９２０、又は、権限情報２９２０は、Ａランクと、Ｂランクと、Ｃランクとの３種類の権限ランクがあるとしたが、各ランクは、例えば、タグを用いた認証処理が行われた場合にのみ、入室ゲート１４０を開錠させる権限があることを示すといったような権限ランクであっても構わないし、権限ランクの数も３種類でなくても構わない。
（１６）実施の形態１、２において、所定の範囲内を１．５ｍ以内としたが、読取装置１００、又は、読取装置２１００の送信する信号の強度と、タグ１１０、又は、タグ２１１０の送信する信号の強度を強くする、もしくは、読取装置１００、又は、読取装置２１００の受信感度と、タグ１１０、又は、タグ２１１０の受信感度を高くする等により、１．５ｍよりも広い範囲としても構わない。
【０１７５】
また、逆に、読取装置１００、又は、読取装置２１００の送信する信号の強度と、タグ１１０、又は、タグ２１１０の送信する信号の強度を弱くする、もしくは、読取装置１００、又は、読取装置２１００の受信感度と、タグ１１０、又は、タグ２１１０の受信感度を低くする等により、１．５ｍよりも狭い範囲としても構わない。
【符号の説明】
【０１７６】
１００  読取装置
１１０  タグ
１２０  非接触ＩＣカード
１３０  管理サーバ
１４０  入室ゲート
１５０  電子錠
【図１】
2011070388.tif 000003
【図２】
2011070388.tif 000004
【図３】
2011070388.tif 000005
【図４】
2011070388.tif 000006
【図５】
2011070388.tif 000007
【図６】
2011070388.tif 000008
【図７】
2011070388.tif 000009
【図８】
2011070388.tif 000010
【図９】
2011070388.tif 000011
【図１０】
2011070388.tif 000012
【図１１】
2011070388.tif 000013
【図１２】
2011070388.tif 000014
【図１３】
2011070388.tif 000015
【図１４】
2011070388.tif 000016
【図１５】
2011070388.tif 000017
【図１６】
2011070388.tif 000018
【図１７】
2011070388.tif 000019
【図１８】
2011070388.tif 000020
【図１９】
2011070388.tif 000021
【図２０】
2011070388.tif 000022
【図２１】
2011070388.tif 000023
【図２２】
2011070388.tif 000024
【図２３】
2011070388.tif 000025
【図２４】
2011070388.tif 000026
【図２５】
2011070388.tif 000027
【図２６】
2011070388.tif 000028
【図２７】
2011070388.tif 000029
【図２８】
2011070388.tif 000030
【図２９】
2011070388.tif 000031
【図３０】
2011070388.tif 000032
【図３１】
2011070388.tif 000033
【図３２】
2011070388.tif 000034